(57)【要約】【課題】本発明は、装置の使い勝手を向上させる。【解決手段】本発明は、吸着板２０及び磁石３０を介して２つの右筐体２及び左筐体３が接続されたことを検出する検出部３３により、当該２つの右筐体２及び左筐体３の接続が検出されたとき、ＣＰＵ４０により所定の制御を実行することにより、使用が終了されたときや持ち運ばれるときに、２つの右筐体２及び左筐体３を吸着板２０及び磁石３０を介して接続させるだけで、何ら操作させずに所定の制御を実行することができ、かくして装置の使い勝手を向上させることができる。【選択図】図２７
2010157897.tif 000002
【特許請求の範囲】
【請求項１】
２つの筐体と、
上記２つの筐体を接続する接続部と、
上記接続部を介して上記２つの筐体が接続されたことを検出する検出部と、
上記検出部が上記２つの筐体の接続を検出したとき、所定の制御を実行する制御部と
を具えるヘッドホン装置。
【請求項２】
上記制御部は、
上記検出部が上記２つの筐体の接続を検出したとき、音声データを再生する外部の再生装置が当該音声データの再生を停止するように制御する
請求項１に記載のヘッドホン装置。
【請求項３】
上記制御部は、
上記検出部が上記２つの筐体の離隔を検出すると、上記再生装置が上記音声データの再生を開始するように制御する
請求項２に記載のヘッドホン装置。
【請求項４】
上記制御部は、
上記検出部が上記２つの筐体の離隔を検出してから所定時間に達したとき、上記再生装置が上記音声データの再生を開始するように制御する
請求項３に記載のヘッドホン装置。
【請求項５】
操作部
を具え、
上記制御部は、
上記検出部が上記２つの筐体の接続を検出したとき、上記操作部への操作入力を無効にする
請求項１に記載のヘッドホン装置。
【請求項６】
バッテリと、
上記２つの筐体の少なくとも一方に設けられ、上記バッテリの残量を通知するための通知部と
を具え、
上記制御部は、
上記検出部が上記２つの筐体の接続を検出したとき、上記通知部に上記バッテリの残量を通知させる
請求項１に記載のヘッドホン装置。
【請求項７】
上記通知部は、
上記２つの筐体の少なくとも一方の、ヘッドホンドライバが収納されるドライバ収納部が設けられる面に設けられた
請求項６に記載のヘッドホン装置。
【請求項８】
２つの筐体と、
操作部と、
上記操作部への操作入力に基づいて、記憶媒体に記憶された音声データを再生する再生部と、
上記２つの筐体を接続する接続部と、
上記接続部を介して上記２つの筐体が接続されたことを検出する検出部と、
上記検出部が上記２つの筐体の接続を検出したとき、所定の制御を実行する制御部と
を具える再生装置。
【請求項９】
上記制御部は、
上記検出部が上記２つの筐体の接続を検出したとき、上記再生部に上記音声データの再生を停止させる
請求項８に記載の再生装置。
【請求項１０】
上記制御部は、
上記検出部が上記２つの筐体の離隔を検出すると、上記再生部に上記音声データの再生を開始させる
請求項９に記載の再生装置。
【請求項１１】
上記制御部は、
上記検出部が上記２つの筐体の離隔を検出してから所定時間に達したとき、上記再生部に上記音声データの再生を開始させる
請求項１０に記載の再生装置。
【請求項１２】
上記制御部は、
上記検出部が上記２つの筐体の接続を検出したとき、上記操作部への操作入力を無効にする
請求項８に記載の再生装置。
【請求項１３】
バッテリと、
上記２つの筐体の少なくとも一方に設けられ、上記バッテリの残量を通知するための通知部と
を具え、
上記制御部は、
上記検出部が上記２つの筐体の接続を検出したとき、上記通知部に上記バッテリの残量を通知させる
請求項８に記載の再生装置。
【請求項１４】
上記通知部は、
上記２つの筐体の少なくとも一方の、ヘッドホンドライバが収納されるドライバ収納部が設けられる面に設けられた
請求項１３に記載の再生装置。
【発明の詳細な説明】
【技術分野】
【０００１】
本発明はヘッドホン装置及び再生装置に関し、例えば、カナル型の一対のステレオ用のヘッドホンが設けられた再生装置（以下、これをヘッドホン一体型再生装置とも呼ぶ）に適用して好適なものである。
【背景技術】
【０００２】
従来のヘッドホン装置は、各々スピーカユニットの内蔵された右ハウジング及び左ハウジングがネックバンドの一端部及び他端部に接続されて形成されている。
【０００３】
そしてヘッドホン装置は、ユーザに対し、ネックバンドを利用させて右ハウジングの音声出力用の一面を右の耳介の外耳道部分に当接させると共に、左ハウジングの音声出力用の一面を左の耳介の外耳道部分に当接させるように左右の耳介に装着させる。
【０００４】
この状態でヘッドホン装置は、外部の再生装置から再生して与えられる右チャンネル用及び左チャンネル用の音声データを、右ハウジング内のスピーカユニット及び左ハウジング内のスピーカユニットに取り込んで音声を発生させる。
【０００５】
これによりヘッドホン装置は、ユーザに対し右の耳介及び左の耳介により、音楽のようなステレオ音声を聴かせていた。
【０００６】
またヘッドホン装置は、ネックバンドの一端部及び他端部にそれぞれ連結部材が設けられ、非装着時に、これら連結部材が相互に連結されることによりコンパクトな大きさにまとめられていた（例えば、特許文献１参照）。
【特許文献１】特開２００８−２２７９６６公報（第５頁、第６頁、第７頁、図１、図５）
【発明の開示】
【発明が解決しようとする課題】
【０００７】
ところで、従来のヘッドホン装置は、ユーザの左右の耳介に装着されるものの、このようなヘッドホン装置に接続される再生装置については鞄の中や衣服のポケットの中に入れられて使用されている。
【０００８】
よって再生装置は、音声データの再生開始や再生停止等の際に、鞄の中やポケットの中から取り出させて直接操作させていた。
【０００９】
このため最近では、従来のヘッドホン装置に、例えば再生装置への命令入力用の操作部を設けることが提案されている。また、最近では、従来のヘッドホン装置の右ハウジング及び左ハウジングの少なくとも一方を再生装置と一体化して、そのヘッドホン装置に再生装置への命令入力用の操作部を設けることも提案されている。
【００１０】
かかる提案によれば、音声データの再生開始時や再生停止時等に鞄の中やポケットの中から再生装置をわざわざ取り出させて操作させることなく、ヘッドホン装置に設けられた操作部を操作させて再生装置を制御することができる。
【００１１】
ところが、かかる構成のヘッドホン装置は、ネックバンドに接続された２つのハウジングを有している。このため、かかる構成のヘッドホン装置は、使用が終了されたときや持ち運ばれるとき、操作部が操作され、引き続きネックバンドの一端部及び他端部の連結部材が連結されてコンパクトにまとめられる場合がある。
【００１２】
すなわち、かかる構成のヘッドホン装置は、使用が終了されたときや持ち運ばれるときに、取り扱いが煩雑化して使い勝手がわるいという問題があった。
【００１３】
本発明は以上の点を考慮してなされたもので、使い勝手を向上し得るヘッドホン装置及び再生装置を提案しようとするものである。
【課題を解決するための手段】
【００１４】
かかる課題を解決するため本発明においては、ヘッドホン装置及び再生装置において、接続部を介して２つの筐体が接続されたことを検出する検出部により、当該２つの筐体の接続が検出されたとき、制御部により所定の制御を実行するようにした。
【００１５】
従って本発明では、ヘッドホン装置及び再生装置において、使用が終了されたときや持ち運ばれるときに、２つの筐体を接続部を介して接続させるだけで、何ら操作させずに所定の制御を実行することができる。
【発明の効果】
【００１６】
本発明によれば、ヘッドホン装置及び再生装置において、接続部を介して２つの筐体が接続されたことを検出する検出部により、当該２つの筐体の接続が検出されたとき、制御部により所定の制御を実行するようにしたことにより、使用が終了されたときや持ち運ばれるときに、２つの筐体を接続部を介して接続させるだけで、何ら操作させずに所定の制御を実行することができ、かくして使い勝手を向上し得るヘッドホン装置及び再生装置を実現することができる。
【発明を実施するための最良の形態】
【００１７】
以下図面について、発明を実施するための最良の形態（以下、これを実施の形態とも呼ぶ）について説明する。なお、説明は以下の順序で行う。
１．実施の形態
２．変形例
【００１８】
＜１．実施の形態＞
［１−１  ヘッドホン一体型再生装置の外観構成］
図１（Ａ）及び（Ｂ）において、１は全体として本発明を適用したヘッドホン一体型再生装置の外観構成を示す。かかるヘッドホン一体型再生装置１は、それぞれ略弓形状の長箱でなる２つの筐体２及び３を有している。
【００１９】
この場合、２つの筐体２及び３は、それぞれ筐体長手方向の一端部が他端部よりも厚くなるように、一面２Ａ及び３Ａの当該一端部に一段高い段差部２ＡＸ及び３ＡＸが形成されている。
【００２０】
そしてヘッドホン一体型再生装置１は、一方の筐体２の一面２Ａの他端部に、カナル型の一対のステレオ用のヘッドホンのうち一方の右チャンネル用のヘッドホン（以下、これを右ヘッドホンとも呼ぶ）４が突設されている。
【００２１】
またヘッドホン一体型再生装置１は、他方の筐体３の一面３Ａの他端部に、カナル型の一対のステレオヘッドホンのうち他方の左チャンネル用のヘッドホン（以下、これを左ヘッドホンとも呼ぶ）５が突設されている。
【００２２】
さらにヘッドホン一体型再生装置１は、これら一方及び他方の筐体２及び３が、ヘッドバンド６を介して繋げられている。
【００２３】
そして、かかるヘッドホン一体型再生装置１は、音声データとして音楽の音声データ（以下、これを特に音楽データとも呼ぶ）や、音声ガイドや効果音の音声データ（以下、これを特にガイドデータとも呼ぶ）等を再生するようになされている。
【００２４】
因みに、以下の説明では、右ヘッドホン４が設けられた一方の筐体２を、右筐体２とも呼び、左ヘッドホン５が設けられた他方の筐体３を、左筐体３とも呼ぶ。
【００２５】
そして、以下の説明では、右筐体２において右ヘッドホン４が設けられた一面２Ａを、右筐体内面２Ａとも呼び、当該右筐体内面２Ａの裏側に位置する弓形状の他面２Ｂを、右筐体外面２Ｂとも呼ぶ。
【００２６】
また、以下の説明では、右筐体２において右筐体内面２Ａ及び右筐体外面２Ｂに接する一対の側面２Ｃ及び２Ｄのうち一方の側面２Ｃを、右筐体上面２Ｃとも呼び、他方の側面２Ｄを、右筐体下面２Ｄとも呼ぶ。さらに、以下の説明では、右筐体２の一端面２Ｅを、右筐体一端面２Ｅとも呼ぶ。
【００２７】
さらに、以下の説明では、左筐体３において左ヘッドホン５が設けられた一面３Ａを、左筐体内面３Ａとも呼び、当該左筐体内面３Ａの裏側に位置する弓形状の他面３Ｂを、左筐体外面３Ｂとも呼ぶ。
【００２８】
さらに、以下の説明では、左筐体３において左筐体内面３Ａ及び左筐体外面３Ｂに接する一対の側面３Ｃ及び３Ｄのうち一方の側面３Ｃを、左筐体上面３Ｃとも呼び、他方の側面３Ｄを、左筐体下面３Ｄとも呼ぶ。さらに、以下の説明では、左筐体３の一端面３Ｅを、左筐体一端面３Ｅとも呼ぶ。
【００２９】
実際に図１（Ａ）及び（Ｂ）並びに図２に示すように、右ヘッドホン４は、根元部分１０Ａよりも先端部分１０Ｂの径が太い円筒状のドライバ収納部１０を有している。
【００３０】
そしてドライバ収納部１０は、その中心軸を、右筐体２の右筐体内面２Ａに垂直な筐体厚み方向と平行にした状態で根元部分１０Ａが右筐体内面２Ａの他端部に接合されて、当該右筐体内面２Ａの他端部から突出するように設けられている。
【００３１】
またドライバ収納部１０の円形の先端面１０Ｃには、筐体長手方向の一端寄りの所定位置に、円筒状の音導管１１が、その中心軸ＣＥ１をドライバ収納部１０の中心軸ＣＥ２と平行な状態よりも筐体長手方向の一端側に僅かに傾けるようにして設けられている。
【００３２】
さらに音導管１１は、シリコンゴムのような樹脂材により円筒状の取付部の一端に傘状の外耳道挿入部１２Ａが設けられて形成されたイヤピース１２の中心を貫く（取付部内から外耳道挿入部１２Ａの先端までを貫く）孔部に挿入されている。
【００３３】
すなわち、イヤピース１２は、音導管１２に対し当該音導管１２の先端部を外耳道挿入部１２Ａの先端の開口から露出させるように取り付けられている。
【００３４】
そして右ヘッドホン４は、ドライバ収納部１０内に振動板や当該振動板の駆動回路等を有するヘッドホンドライバ（図示せず）が収納されている。
【００３５】
これにより右ヘッドホン４は、ヘッドホンドライバにより発生させた音楽のような音声をドライバ収納部１０内から音導管１１の内部を介して当該音導管１１の先端から外部に出力させ得るようになされている。
【００３６】
一方、図１（Ａ）及び（Ｂ）並びに図３に示すように、左ヘッドホン５は、基本的には右ヘッドホン４と同様に構成されている。
【００３７】
よって左ヘッドホン５は、ドライバ収納部１５が、その中心軸を左筐体３の左筐体内面３Ａに垂直な筐体厚み方向と平行にした状態で、先端部分１５Ｂよりも径の細い根元部分１５Ａが左筐体内面３Ａの他端部に接合されている。
【００３８】
すなわち、左ヘッドホン５についても、ドライバ収納部１５が左筐体３に対し左筐体内面３Ａの他端部から突出するように設けられている。
【００３９】
またドライバ収納部１５の円形の先端面１５Ｃには、筐体長手方向の一端寄りの所定位置に、円筒状の音導管１６が、その中心軸ＣＥ３をドライバ収納部１５の中心軸ＣＥ４と平行な状態よりも筐体長手方向の一端側に僅かに傾けるようにして設けられている。
【００４０】
さらに音導管１６には、上述のイヤピース１２と同様構成のイヤピース１７が孔部を介して取り付けられ、当該イヤピース１７の外耳道挿入部１７Ａの先端の開口から音導管１６の先端部を露出させている。
【００４１】
そして左ヘッドホン５は、右ヘッドホン４と同様にドライバ収納部１５内に振動板や当該振動板の駆動回路等を有するヘッドホンドライバ（図示せず）が収納されている。
【００４２】
これにより左ヘッドホン５も、ヘッドホンドライバにより発生させた音楽のような音声をドライバ収納部１５内から音導管１６の内部を介して当該音導管１６の先端から外部に出力させ得るようになされている。
【００４３】
ところで右筐体２の内部には、後述するＣＰＵ（Central  Processing  Unit）やＲＯＭ（Read  Only  Memory）等の各種回路素子が実装された回路基板が収納されており、当該回路基板が右ヘッドホン４用のヘッドホンドライバと電気的に接続されている。
【００４４】
また左筐体３の内部には、ヘッドホン一体型再生装置１を駆動するための電力を供給可能なバッテリが収納されている。
【００４５】
そして図１（Ａ）及び（Ｂ）並びに図４に示すように、ヘッドバンド６は、一端が右筐体２の右筐体上面２Ｃの一端部側に接続されると共に、他端が左筐体３の左筐体上面３Ｃの一端部側に接続されている。
【００４６】
ヘッドバンド６は、複数の導電線が、弾性を有する絶縁樹脂でなる外被によって被覆されて形成されており、当該導電線により右筐体２内部の回路基板と、左筐体３内部のバッテリや左ヘッドホン５用のヘッドホンドライバとを電気的に接続している。
【００４７】
因みに、ヘッドバンド６は、一端部及び他端部の外被がさらに絶縁樹脂でなる保護チューブ６Ａ及び６Ｂで被覆されている。
【００４８】
よってヘッドバンド６は、ヘッドホン一体型再生装置１の着脱時に一端部及び他端部に折り曲げるような外力が加えられても、保護チューブ６Ａ及び６Ｂにより当該一端部及び他端部が折り曲らないように規制している。
【００４９】
このためヘッドバンド６は、ヘッドホン一体型再生装置１の着脱時に一端部及び他端部に折り曲げるような外力が加えられても、当該一端部及び他端部において外被に亀裂が生じたり導電線が断線することを防止している。
【００５０】
ところで、右筐体２の右筐体一端面２Ｅには、磁石に吸着する金属平板でなる吸着板２０が載置されている。
【００５１】
また左筐体３の左筐体一端面３Ｅには、中央部に吸着板２０の形状及び大きさ並びに厚みに合わせた形状及び大きさ並びに深さを有する凹部でなる吸着板収納部３ＥＸが形成されている。
【００５２】
そして左筐体３は、吸着板収納部３ＥＸの底板の裏側（すなわち、左筐体３の内部）に後述する磁石が設けられている。
【００５３】
このためヘッドホン一体型再生装置１は、右筐体内面２Ａ及び左筐体内面３Ａを同一方向へ向けたまま右筐体２の右筐体一端面２Ｅと左筐体３の左筐体一端面３Ｅとが近づけられると、吸着板２０を、吸着板収納部３ＥＸ内で底板を介して磁石に吸着させる。
【００５４】
よって図５（Ａ）及び（Ｂ）に示すように、ヘッドホン一体型再生装置１は、非装着時に右筐体２及び左筐体３を、右筐体内面２Ａ及び左筐体内面３Ａを同一方向へ向けたまま右筐体一端面２Ｅと左筐体一端面３Ｅとを接続してコンパクトにまとめることができる。
【００５５】
またヘッドバンド６は、全体を２等分するようなほぼ真中の位置に「く」の字状の折り目でなる折曲部６Ｃが予め形成されている。
【００５６】
そしてヘッドバンド６は、右筐体２及び左筐体３が接続された際には、一端部側及び他端部側が円弧状に曲り、折曲部６Ｃと共に全体として、その接続された右筐体２及び左筐体３の周囲で、人の顔よりも小さい略ハート型を描くように形作られている。
【００５７】
また図６に示すように、ヘッドバンド６は、このように右筐体２及び左筐体３が接続された際には、一端部及び他端部を除く中央部分が、右筐体内面２Ａ及び左筐体内面３Ａの向く側の仮想の同一平面上に位置するようにも形作られている。
【００５８】
このため図７に示すように、ヘッドハンド６には、右筐体２及び左筐体３が離隔されて（すなわち、引き離されて）折曲部６Ｃの折曲角度と共に中央部分が広げられると、その折曲角度が広げられた折曲部６Ｃを元の折曲角度に戻すような弾性力が生じる。
【００５９】
よってヘッドハンド６には、折曲部６Ｃの折曲角度と共に中央部分が広げられた場合、そのとき生じる弾性力により、右筐体２及び左筐体３を互いに近づけるように付勢することができる。
【００６０】
またヘッドバンド６には、右筐体２及び左筐体３が離隔されて右筐体内面２Ａ及び左筐体内面３Ａを向かい合わせるように、中央部分に対し一端部側及び他端部側がねじられると、中央部分に対する一端部側及び他端部側のねじれを元に戻すような弾性力が生じる。
【００６１】
よってヘッドバンド６は、中央部分に対し一端部側及び他端部側がねじられた場合、そのとき生じる弾性力により、右筐体２及び左筐体３を回転させて、右筐体一端面２Ｅ及び左筐体一端面３Ｅを向かい合わせるように付勢することができる。
【００６２】
さらにヘッドバンド６には、右筐体２及び左筐体３の接続及び離隔にかかわらずに中央部分を右筐体２及び左筐体３から引き離すように、円弧状の一端部側及び他端部側が弓形状に伸ばされると、その一端部側及び他端部側を元の円弧状に戻すような弾性力が生じる。
【００６３】
よってヘッドバンド６には、円弧状の一端部側及び他端部側が弓形状に伸ばされた場合、そのとき生じる弾性力により、中央部分を、上述した仮想の同一平面上に位置させて右筐体２及び左筐体３に近づけるように付勢することもできる。
【００６４】
そしてヘッドホン一体型再生装置１は、例えば、ユーザにより右手で保持された右筐体２と左手で保持された左筐体３とが離されると、当該右筐体２と左筐体３との間に頭部を通せるようにヘッドバンド６の中央部分を広げることができる。
【００６５】
よってヘッドホン一体型再生装置１は、ユーザにより右手で保持された右筐体２と左手で保持された左筐体３とが離されて当該右筐体２と左筐体３との間に頭部が通されると、右の耳介及び左の耳介に右ヘッドホン４及び左ヘッドホン５を装着させることができる。因みに、以下の説明では、右の耳介を、右耳介とも呼び、左の耳介を左耳介とも呼ぶ。
【００６６】
すなわち、図８乃至図１０に示すように、ヘッドホン一体型再生装置１は、右耳介において耳甲介に右ヘッドホン４のドライバ収納部１０の先端部分１０Ｂを挿入させると共に、外耳道に当該右ヘッドホン４のイヤピース１２を挿入させる。
【００６７】
またヘッドホン一体型再生装置１は、左耳介において耳甲介に左ヘッドホン５のドライバ収納部１５の先端部分１５Ｂを挿入させると共に、外耳道に当該左ヘッドホン５のイヤピース１７を挿入させる。
【００６８】
さらにヘッドホン一体型再生装置１は、この際、ヘッドバンド６おいて、弧状に曲る一端部を右耳介に近接させて右側頭部に位置させると共に、同様に弧状に曲る他端部を左耳介に近接させて左側頭部に位置させて中央部分を後頭部に位置させる。
【００６９】
そしてヘッドホン一体型再生装置１は、このときヘッドハンド６の折曲部６Ｃの折曲角度と共に中央部分が広げられていることにより、上述したように右筐体２と左筐体３を互いに近づけるように付勢する。
【００７０】
よってヘッドホン一体型再生装置１は、右耳介において耳甲介内に右ヘッドホン４のドライバ収納部１０の先端部分１０Ｂを軽く押し付けて密着させると共に、外耳道内に当該右ヘッドホン４のイヤピース１２を軽く押し付けて密着させる。
【００７１】
またヘッドホン一体型再生装置１は、左耳介において耳甲介内に左ヘッドホン５のドライバ収納部１５の先端部分１５Ｂを軽く押し付けて密着させると共に、外耳道内に当該左ヘッドホン５のイヤピース１７を軽く押し付けて密着させる。
【００７２】
さらにヘッドホン一体型再生装置１は、ヘッドバンド６の一端部及び他端部をユーザの右側頭部及び左側頭部に軽く押し付けて密着させる。
【００７３】
これによりヘッドホン一体型再生装置１は、ユーザの右耳介及び左耳介に対し右ヘッドホン４及び左ヘッドホン５を安定して装着させることができる。
【００７４】
またヘッドホン一体型再生装置１では、このとき右筐体２及び左筐体３の右筐体内面２Ａ及び左筐体内面３Ａを向かい合わせるように、ヘッドバンド６において中央部分に対し一端部側及び他端部側がねじられている。
【００７５】
このためヘッドホン一体型再生装置１は、上述したように右筐体２及び左筐体３を回転させて、右筐体一端面２Ｅ及び左筐体一端面３Ｅを向かい合わせるように付勢する。
【００７６】
よってヘッドホン一体型再生装置１は、右筐体２の右筐体内面２Ａの一端部（段差部２ＡＸ）をユーザの右頬に軽く押し付けて密着させると共に、左筐体３の左筐体内面３Ａの一端部（段差部３ＡＸ）をユーザの左頬に軽く押し付けて密着させる。
【００７７】
これによりヘッドホン一体型再生装置１は、ユーザの右耳介及び左耳介に対し右ヘッドホン４及び左ヘッドホン５をさらに安定して装着させることができる。
【００７８】
ところで、かかる構成のヘッドホン一体型再生装置１を装着するユーザとしては、右耳介及び左耳介の比較的大きい人もいれば、比較的小さい人もいる。
【００７９】
そしてヘッドホン一体型再生装置１は、ユーザの右耳介及び左耳介が比較的大きい場合、ヘッドバンド６の一端部を右耳介の耳輪の裏と右側頭部の間に通させ、当該ヘッドバンド６の他端部を左耳介の耳輪の裏と左側頭部との間に通させることができる。
【００８０】
よってヘッドホン一体型再生装置１は、ヘッドバンド６の一端部及び他端部を右耳介及び左耳介の耳輪に掛けさせて、ユーザの右耳介及び左耳介に右ヘッドホン４及び左ヘッドホン５をさらに安定して装着させることができる。
【００８１】
これに対してヘッドホン一体型再生装置１は、ユーザの右耳介及び左耳介が比較的小さいと、ヘッドバンド６の一端部を右耳介の耳輪の裏側と右側頭部の間に通させることができない。またヘッドホン一体型再生装置１は、ユーザの右耳介及び左耳介が比較的小さいと、ヘッドバンド６の他端部を左耳介の耳輪の裏側と左側頭部との間に通させることもできない。
【００８２】
しかしながらヘッドホン一体型再生装置１は、右耳介及び左耳介が比較的小さい場合でも、ヘッドバンド６の一端部及び他端部を付勢して右側頭部及び左側頭部に密着させるため、右ヘッドホン４及び左ヘッドホン５の安定な装着が損なわれることを防止している。
【００８３】
さらにヘッドホン一体型再生装置１は、このときヘッドバンド６の中央部分が後頭部に押されて当該ヘッドハンド６の一端部及び他端部から引き離されていることにより、当該ヘッドバンド６の中央部分を一端部及び他端部に近づけるように付勢する。
【００８４】
よってヘッドホン一体型再生装置１は、ヘッドバンド６の中央部分をユーザの後頭部に軽く押し付けて密着させる。これによりヘッドホン一体型再生装置１は、ユーザの右耳介及び左耳介に右ヘッドホン４及び左ヘッドホン５をさらに安定して装着させることができる。
【００８５】
ところで、図１１に示すように、右筐体２には、右筐体下面２Ｄの一端部にＵＳＢ（Universal  Serial  Bus）規格のコネクタ２３が設けられている。
【００８６】
そしてヘッドホン一体型再生装置１は、コネクタ２３と共にＵＳＢケーブル（図示せず）を介してパーソナルコンピュータのような外部機器（図示せず）と接続して通信する。
【００８７】
これによりヘッドホン一体型再生装置１は、外部機器からＵＳＢケーブルを介して転送される音楽データ等を取り込んで記憶し、また外部機器からＵＳＢケーブルを介して供給される電力によりバッテリを充電し得るようになされている。
【００８８】
また右筐体２には、右筐体下面２Ｄの中央部に、「コ」の字状の音量調整キー２４が、その胴体部の長手方向を筐体長手方向と平行にし、かつ当該胴体部の両端の突部２４Ａ及び２４Ｂそれぞれを右筐体下面２Ｄから僅かに突出させて設けられている。
【００８９】
因みに、以下の説明では、音量調整キー２４において筐体長手方向の一端寄りに位置する突部２４Ａを、特に音量アップボタン２４Ａとも呼び、筐体長手方向の他端寄りに位置する突部２４Ｂを、特に音量ダウンボタン２４Ｂとも呼ぶ。
【００９０】
そしてヘッドホン一体型再生装置１は、音量調整キー２４の音量アップボタン２４Ａが、右筐体２内に比較的短い時間押し込むように押下操作される毎に、右ヘッドホン４及び左ヘッドホン５を介して出力される音声の音量を順次一段階ずつ上げる。
【００９１】
またヘッドホン一体型再生装置１は、音量調整キー２４の音量ダウンボタン２４Ｂが右筐体２内に比較的短い時間押し込むように押下操作される毎に、右ヘッドホン４及び左ヘッドホン５を介して出力される音声の音量を順次一段階ずつ下げる。
【００９２】
因みに、ヘッドホン一体型再生装置１は、音量アップボタン２４Ａが押下操作され続ける（すなわち、押され続ける）と、その間、右ヘッドホン４及び左ヘッドホン５を介して出力される音声の音量を連続的に上げる。
【００９３】
またヘッドホン一体型再生装置１は、音量ダウンボタン２４Ｂが押下操作され続ける（すなわち、押され続ける）と、その間、右ヘッドホン４及び左ヘッドホン５を介して出力される音声の音量を連続的に下げる。
【００９４】
さらに右筐体２には、右筐体下面２Ｄの他端部において右筐体外面２Ｂ寄りに、押下操作及び回転操作可能な回転操作子２５が、縁の一部分を当該右筐体下面２Ｄから僅かに突出させて設けられている。
【００９５】
因みに、以下の説明では、かかる回転操作子２５を、ジョグダイヤル２５とも呼ぶ。また、以下の説明では、ジョグダイヤル２５において右筐体２の右筐体下面２Ｄから僅かに突出する縁の一部分を突出部分とも呼ぶ。
【００９６】
実際にジョグダイヤル２５は、その中心軸を右ヘッドホン４のドライバ収納部１０Ａの中心軸とほぼ一致させ、又は当該ドライバ収納部１０Ａの中心軸と平行で、かつ当該中心軸よりも僅かに右筐体下面２Ｄ寄りに位置させている。
【００９７】
そしてヘッドホン一体型再生装置１は、ジョグダイヤル２５の突出部分に指等を押し付けるようにして、当該ジョグダイヤル２５を右筐体２内に比較的短い時間押し込むように押下操作させ、また比較的長い時間押し込むようにも押下操作させることができる。
【００９８】
さらにヘッドホン一体型再生装置１は、ジョグダイヤル２５の突出部分に当接させた指等を筐体長手方向の一端側や他端側へ移動させるようにして、当該ジョグダイヤル２５を一方向や他方向へ回転操作させることもできる。
【００９９】
因みに、以下の説明では、ジョグダイヤル２５を右筐体２内に比較的短い時間（例えば、１秒未満）押し込むような押下操作を、特に短押操作とも呼ぶ。また、以下の説明では、ジョグダイヤル２５を右筐体２内に比較的長い時間（例えば、１秒以上）押し込むような押下操作を、特に長押操作とも呼ぶ。
【０１００】
さらに、以下の説明では、ジョグダイヤル２５に対する、一方向の回転操作（すなわち、右筐体２の右筐体外面２Ｂを正視した状態で反時計回りとなる回転操作）を、特に＋回転操作とも呼ぶ。
【０１０１】
さらに、以下の説明では、ジョグダイヤル２５に対する、他方向の回転操作（すなわち、右筐体２の右筐体外面２Ｂを正視した状態で時計回りとなる回転操作）を、特に−回転操作とも呼ぶ。
【０１０２】
またヘッドホン一体型再生装置１は、このようなジョグダイヤル２５への種々の操作により、再生開始命令や再生停止命令等の複数種類の命令を入力させることができる。
【０１０３】
ところで、図１２に示すように、ユーザは、右手や左手を右耳介や左耳介の高さまで上げたとき、人体構造上、自然に親指を下側に位置させ、他の人差指から小指までの４本の指を親指よりも高く位置させる。
【０１０４】
よってヘッドホン一体型再生装置１は、ユーザへの装着時、例えば、右筐体２の右筐体上面２Ｃに右手の人差指のみ又は人差指及び中指を添わせ、右筐体下面２Ｄに右手の親指を添わせるようにして当該右筐体２を挟持させることができる。
【０１０５】
そしてヘッドホン一体型再生装置１は、上述のように右筐体２の他端部に設けられた右ヘッドホン４においてドライバ収納部１０の先端部分１０Ｂを右耳介の耳甲介に挿入させて密着させると共に、イヤピース１７を右耳介の外耳道に挿入させて密着させている。
【０１０６】
またヘッドホン一体型再生装置１は、上述のように右筐体２の右筐体下面２Ｄの他端部からジョグダイヤル２５の突出部分を突出させている。
【０１０７】
すなわち、ヘッドホン一体型再生装置１は、ジョグダイヤル２５の突出部分を右ヘッドホン４（すなわち、右耳介の外耳道）に近接させ、かつユーザへの装着時には当該ジョグダイヤル２５の突出部分を右ヘッドホン４よりも鉛直下側に位置させている。
【０１０８】
よってヘッドホン一体型再生装置１は、ユーザにより右耳介に装着された右筐体２が直接見えなくても、右耳介の外耳道に右手の指を近づけて右筐体２の他端部を挟持させるだけで、ジョグダイヤル２５の突出部分に右手の親指の腹を容易に接触させることができる。
【０１０９】
因みに、ヘッドホン一体型再生装置１は、上述のように右筐体２の右筐体下面２Ｄにおいてジョグダイヤル２５の突出部分を、右筐体外面２Ｄ寄りに位置させて、右筐体内面２Ａから極力離している。
【０１１０】
このためヘッドホン一体型再生装置１は、右筐体２を挟持している右手において親指を、ユーザの右耳介やその周囲等に何ら接触させることなく、ジョグダイヤル２５の突出部分に的確に接触させることができる。
【０１１１】
そしてヘッドホン一体型再生装置１は、上述したように右筐体２の他端部を右ヘッドホン４を介して右耳介に固定するように保持させた状態で、当該右筐体２の他端部を挟持している右手の親指によりジョグダイヤル２５を押下操作及び回転操作させる。
【０１１２】
このためヘッドホン一体型再生装置１は、右手の親指でジョグダイヤル２５が押下操作や回転操作されたとき、右筐体２がぐらつくことを防止し、また右耳介に対し右筐体２がドライバ収納部１０を中心に回転することも防止することができる。
【０１１３】
すなわち、ヘッドホン一体型再生操作１は、右筐体２を挟持する右手の親指でジョグダイヤル２５を容易にかつ的確に押下操作及び回転操作させることができる。
【０１１４】
さらにヘッドホン一体型再生装置１は、右筐体２において、右ヘッドホン４を介して右耳介に固定するように保持される他端部に極力近い位置に音量調整キー２４が設けられている。
【０１１５】
よってヘッドホン一体型再生装置１は、ユーザにより右手を右耳介の外耳道よりも僅かに顔の前寄りにして右筐体２が挟持されると、右筐体下面２Ｄ中央部の音量調整キー２４に当該右手の親指を容易にかつ的確に接触させることができる。
【０１１６】
またヘッドホン一体型再生装置１は、右手の親指で音量調整キー２４が押下操作されたとき、右筐体２がぐらつくことを防止し、また右耳介に対し右筐体２がドライバ収納部１０を中心に回転することも防止することができる。
【０１１７】
すなわち、ヘッドホン一体型再生操作１は、右筐体２を挟持する右手の親指で音量調整キー２４についても容易にかつ的確に押下操作させることができる。
【０１１８】
このようにしてヘッドホン一体型再生装置１は、右筐体２の右筐体下面２Ｄにジョグダイヤル２５や音量調整キー２４を設けることにより、ユーザへの装着時、左手を使わせずに右手のみを用いて操作させることができる。
【０１１９】
これに加えて図１３に示すように、右筐体２には、右筐体内面２Ａの中央部に、複数の音楽データの再生順序を、異なる２種類の再生順序の一方から他方へ任意に切り換えるための再生順序切換スイッチ２６がスライド可能に設けられている。
【０１２０】
そしてヘッドホン一体型再生装置１は、後述するように複数の音楽データの再生順序を規定する順序規定リストを保持している。
【０１２１】
よってヘッドホン一体型再生装置１は、再生順序切換スイッチ２６が例えば、筐体長手方向の他端側へスライド操作されると、複数の音楽データの再生順序を、順序規定リストが示す再生順序に切り換える。
【０１２２】
またヘッドホン一体型再生装置１は、再生順序切換スイッチ２６が例えば、筐体長手方向の一端側へスライド操作されると、複数の音楽データの再生順序を、順序規定リストが示す再生順序を無作為に並べ替えた再生順序に切り換える。
【０１２３】
因みに、以下の説明では、順序規定リストが示す再生順序を、規定再生順序とも呼び、順序規定リストが示す規定再生順序を無作為に並べ替えた再生順序を、シャッフル再生順序とも呼ぶ。
【０１２４】
また右筐体２には、右筐体内面２Ａの一端寄りに、バッテリの残量を通知するための発光部（以下、これを残量通知発光部とも呼ぶ）２７が設けられている。
【０１２５】
そしてヘッドホン一体型再生装置１は、動作中にはバッテリの残量に応じて残量通知発光部２７の発光色を変更することにより、その発光色によりユーザに対しバッテリの残量を通知し得るようになされている。
【０１２６】
因みに、ヘッドホン一体型再生装置１は、例えば、バッテリが満充電のときには、残量通知発光部２７を緑色に発光させ、当該バッテリの残量が減ると、残量通知発光部２７の発光色を緑色からオレンジ色、赤色と順次変更する。
【０１２７】
ところで図１４に示すように、ヘッドホン一体型再生装置１は、右手で右筐体２が保持され、左手で左筐体３が保持されたままユーザの右耳介及び左耳介から外されて体の前に出されると、右筐体内面２Ａと共に残量通知発光部２７を視野に入れさせることができる。
【０１２８】
よってヘッドホン一体型再生装置１は、ユーザに対し、残量通知発光部２７の発光色によってバッテリの残量を通知することができる。
【０１２９】
また図１５に示すように、ヘッドホン一体型再生装置１は、ユーザの右耳介及び左耳介から外されたとき、右手及び左手で右筐体２及び左筐体３が保持されたまま体の前で接続されると、右筐体内面２Ａと共に残量通知発光部２７をユーザの顔に向けることができる。
【０１３０】
よってヘッドホン一体型再生装置１は、この際、ユーザに残量通知発光部２７を正視させて発光色を正確に確認させ、バッテリの残量を的確に通知することができる。
【０１３１】
さらに図１６に示すように、右筐体２は、右筐体外面２Ｂの一端縁部に沿って、ヘッドホン一体型再生装置１の状態を通知するための帯状の発光部（以下、これを状態通知発光部とも呼ぶ）２８が設けられている。
【０１３２】
ヘッドホン一体型再生装置１は、ＵＳＢケーブルを介して外部機器と接続されている間や当該外部機器から転送された音楽データを記憶している間、外部機器から供給される電力によりバッテリを充電している間等は状態通知発光部２８を、例えば白色に発光させる。
【０１３３】
ただしヘッドホン一体型再生装置１は、外部機器と接続されている状態や音楽データを記憶している状態、バッテリを充電している状態等に応じて、状態通知発光部２８の発光状態（すなわち、点灯や点滅、点滅間隔等）を変更する。
【０１３４】
これによりヘッドホン一体型再生装置１は、その状態通知発光部２８の発光状態により、ユーザに対し当該ヘッドホン一体型再生装置１の状態を通知することができる。
【０１３５】
またヘッドホン一体型再生装置１は、右筐体２及び左筐体３が接続されたときにも、状態通知発光部２８を１回、白色に発光させて、その接続を通知することができる。
【０１３６】
［１−２  ヘッドホン一体型再生装置の内部構成］
次いで、図１７を用いて、ヘッドホン一体型再生装置１の内部構成について説明する。図１７に示すように、ヘッドホン一体型再生装置１において左筐体３の内部には、上述した磁石３０が、Ｎ極の端面を吸着板収納部３ＥＸの底板の裏側に当接させ、Ｓ極の端面を筐体長手方向の他端側に向けて収納されている。
【０１３７】
また左筐体３の内部には、磁石３０の有する吸着力を増幅するためのヨーク３１が、その一面を磁石３０のＳ極の端面に当接させて収納されている。
【０１３８】
一方、右筐体２の内部には、上述したように回路基板３２が収納されている。また回路基板３２の一面の所定位置には、例えば、巨大磁気抵抗効果現象（GMR:Giant  Magnet  Resistance  Effect）を応用した磁気センサ（シリコン基板上に形成された磁気薄膜素子でなる磁気センサ）を有する検出部３３が回路素子として実装されている。
【０１３９】
ところで、図１８乃至図２１に示すように、検出部３３には、磁石３０が近づくと、その磁石３０の発生している磁界が印加される。因みに、以下の説明では、検出部３０に印加される磁界を、印加磁界とも呼ぶ。
【０１４０】
そして検出部３３に印加される印加磁界の強さ（すなわち、磁束密度）は、磁石３０に吸着板２０が吸着して右筐体２と左筐体３とが接続されたとき（すなわち、検出部３３に磁石３０が最も近づいたとき）に最も大きくなる。
【０１４１】
すなわち、検出部３３に印加される印加磁界の強さ（すなわち、磁束密度）は、右筐体２と左筐体３とが離れるほど、小さくなる。
【０１４２】
このため検出部３３は、印加磁界の強さ（すなわち、磁束密度）の変化に基づき右筐体２と左筐体３との接続の有無を検出する。
【０１４３】
そしてヘッドホン一体型再生装置１は、音楽が聴取されるときには右耳介及び左耳介に装着されるものの、持ち運ばれるときや、使用が終了して机の上等に置かれるとき等には、全体をコンパクトにまとめるために右筐体２と左筐体３とを接続させることができる。
【０１４４】
よってヘッドホン一体型再生装置１は、このような非使用時には右筐体２と左筐体３とが接続されるような使い方に合わせて、後述するように検出部３３により右筐体２と左筐体との接続が検出されると、その検出結果に応じて所定の制御を実行する。
【０１４５】
このようにしてヘッドホン一体型再生装置１は、右筐体２と左筐体３とが、吸着板２０及び磁石３０を介して接続されると、その際にジョグダイヤル２５等を何ら操作させずに所定の制御を実行するようになされている。
【０１４６】
［１−３  ヘッドホン一体型再生装置の回路構成］
次いで、図２２を用いて、ヘッドホン一体型再生装置１の回路構成について説明する。ヘッドホン一体型再生装置１においてＣＰＵ４０は、当該ヘッドホン一体型再生装置１がＵＳＢケーブル（図示せず）を介して外部機器に接続されると、当該外部機器を主体として従属的に動作する。
【０１４７】
これによりＣＰＵ４０は、外部機器から１又は複数の音楽データが転送されると、その転送された音楽データを、コネクタ２３を介して取り込んで、フラッシュメモリでなるＲＯＭ４１に送出して、当該ＲＯＭ４１に音楽データを記憶する。
【０１４８】
尚、ここでは、説明を簡単にするため、外部機器から転送されてくる音楽データのそれぞれが、１曲分の音楽データであるとする。またこの音楽データには、例えば、音楽データに基づく音楽のタイトル（すなわち曲名）を利用して生成されたファイル名が付加されている。
【０１４９】
よってＣＰＵ４０は、外部機器から１度の転送処理で転送された全ての音楽データをＲＯＭ４１に記憶すると、ＲＯＭ４１から、このとき記憶した音楽データのファイル名と、以前の転送処理で記憶している全ての音楽データのファイル名とを読み出す。
【０１５０】
そしてＣＰＵ４０は、これらファイル名を例えば、アルファベット順に並べて、そのファイル名の並びで、対応する音楽データの再生順序を規定する順序規定リストを生成し、当該生成した順序規定リストをＲＯＭ４１に送出して記憶する。
【０１５１】
ところで、ヘッドホン一体型再生装置１に接続される外部機器としては、例えば、音楽データから１オクターブの12音階それぞれに相当する周波数帯域毎のエネルギーを抽出し、当該抽出した周波数帯域毎のエネルギーをもとに音楽の特徴を解析し得るものがある。
【０１５２】
実際に、かかる構成の外部機器は、例えば、音楽データの周波数帯域毎のエネルギーに基づき、音楽の演奏に利用されている楽器や和音、テンポ等を検出する。
【０１５３】
また、かかる構成の外部機器は、和音やテンポ等の検出結果をもとに、音楽の特徴部分としての「さび」と呼ばれる部分の開始位置（すなわち、「さび」の始まりに対応する位置であり、以下、これをさび開始位置とも呼ぶ）を特定する。
【０１５４】
そして、かかる構成の外部機器は、音楽データの転送時、転送対象の音楽データと共に、当該音楽データについて特定したさび開始位置を、開始位置情報としてヘッドホン一体型再生装置１に転送している。
【０１５５】
よってヘッドホン一体型再生装置１のＣＰＵ４０は、外部機器から音楽データと共に開始位置情報が転送されたときには、その音楽データを開始位置情報と共にＲＯＭ４１に送出して、当該ＲＯＭ４１に音楽データと開始位置情報とを対応付けて記憶する。
【０１５６】
このようにしてＣＰＵ４０は、ＲＯＭ４１に複数の音楽データを記憶すると共に、そのＲＯＭ４１に音楽データを追加して記憶する毎に、順序規定リストの内容を更新し得るようになされている。
【０１５７】
またＣＰＵ４０は、外部機器からバッテリを充電するための充電用電力が供給されると、その充電用電力を、過電圧保護回路４２を介して取り込むと共に、当該ＣＰＵ４０内部の電源回路（図示せず）を介してバッテリ４３に供給する。
【０１５８】
このようにしてＣＰＵ４０は、外部機器から供給される充電用電力をもとにバッテリ４３を充電し得るようになされている。
【０１５９】
因みに、ＣＰＵ４０は、外部機器にヘッドホン一体型再生装置１が接続されたときや、外部機器から転送される音楽データを取り込みながらＲＯＭ４１に記憶している間、さらにはバッテリ４３を充電している間は、これらの状態に応じた発光制御信号を生成する。
【０１６０】
そしてＣＰＵ４０は、その発光制御信号を状態通知発光部２８に送出することにより、当該状態通知発光部２８を発光制御信号に基づいて制御してバッテリ一体型再生装置１の状態に応じた発光状態で発光させる。
【０１６１】
これによりＣＰＵ４０は、外部機器にヘッドホン一体型再生装置１が接続された際、当該ヘッドホン一体型再生装置１がどのような状態にあるのかを、状態通知発光部２８を介して通知して確認させることができる。
【０１６２】
一方、ＣＰＵ４０は、ヘッドホン一体型再生装置１に外部機器が接続されてはいないと、操作部４４（すなわち、上述した音量調整キー２４、ジョグダイヤル２５及び再生順序切換スイッチ２６）の操作等に応じて単独でも動作する。
【０１６３】
実際にＣＰＵ４０は、各種処理の実行や各回路ブロックの制御等を停止した電源オフ状態で、ジョグダイヤル２５が短押操作されると、電源オン命令が入力されたと判断する。
【０１６４】
このときＣＰＵ４０は、バッテリ４３の供給電力を内部の電源回路に取り込んで各回路ブロック（ＣＰＵ４０を含む）を動作させるための動作用電力を生成する。
【０１６５】
そしてＣＰＵ４０は、自己の動作用電力により、各種処理や各回路ブロックの制御を実行可能な電源オン状態となり動作を開始する。
【０１６６】
またＣＰＵ４０は、このとき各回路ブロックにそれぞれ対応する動作用電力を供給して、これら各回路ブロックを動作可能な状態にする。
【０１６７】
ところで、ＣＰＵ４０は、電源オフ状態では、ジョグダイヤル２５が実装された回路素子を電源オン命令の入力用の短押操作のみ検出可能な状態にし、これによりユーザにジョグダイヤル２５を介して電源オン命令のみは入力させ得るようになされている。
【０１６８】
因みに、ＣＰＵ４０は、バッテリ４３を充電用電力で充電するときや当該バッテリ４３から供給電力を取り込むときには、電源回路に接続されたインダクタ４６を介して当該充電用電力や供給電力に対しノイズを抑制し、また整流や平滑化している。
【０１６９】
またＣＰＵ４０は、ＲＯＭ４１に、予め基本プログラムや、再生制御プログラム及び動作制御プログラムのようなアプリケーションプログラム等の各種プログラムを記憶している。
【０１７０】
よってＣＰＵ４０は、外部機器が接続されずに電源オン状態になると、操作部４４への操作に応じて入力される各種命令等に応じて、ＲＯＭ４１から各種プログラムを読み出してＲＡＭ（Random  Access  Memory）４５に展開する。
【０１７１】
これによりＣＰＵ４０は、ＲＡＭ４５で展開した各種プログラムに従って装置全体（すなわち、各回路ブロック）を制御すると共に、各種処理を実行する。
【０１７２】
因みに、ＣＰＵ４０は、電源オン状態では、発振器４７の発生する動作クロックのタイミングで動作すると共に、その動作クロックを各回路ブロックに供給して、これら各回路ブロックも当該動作クロックのタイミングで動作させている。
【０１７３】
これによりＣＰＵ４０は、例えば、再生順序切換スイッチ２６のスライド操作に応じて、規定再生順序を選択する選択命令が入力されたと判断すると、これに応じて複数の音楽データの再生順序を規定再生順序に設定する。
【０１７４】
これに対してＣＰＵ４０は、再生順序切換スイッチ２６のスライド操作に応じて、シャッフル再生順序を選択する選択命令が入力されたと判断すると、複数の音楽データの再生順序をシャッフル再生順序に設定する。
【０１７５】
またＣＰＵ４０は、ジョグダイヤル２５が短押操作及び長押操作並びに＋回転操作及び−回転操作されると、この操作に応じて、音楽データの再生制御を行う。すなわちＣＰＵ４０は、音楽データを再生するモードの切り換えや、音楽データの再生開始、再生停止、曲送り、曲戻し等の再生制御を行う。
【０１７６】
尚、ＣＰＵ４０は、再生モードとして、音楽データの先頭位置から後尾位置まで再生（これを通常再生とも呼ぶ）する通常再生モードと、さびに相当する部分のみを再生（これをさび再生とも呼ぶ）するさび再生モードとを有している。因みに、以下の説明では、音楽データにおいて音楽のさびに相当する部分を、さび部分とも呼ぶ。
【０１７７】
ＣＰＵ４０は、通常再生する際、ＲＯＭ４１から音楽データを読み出すと共に、当該読み出した音楽データに復号処理やデジタルアナログ変換処理、増幅処理等の再生処理を施して、右チャンネル用及び左チャンネル用の音楽信号を生成する。
【０１７８】
またＣＰＵ４０は、右チャンネル用の音楽信号を右ヘッドホン４のヘッドホンドライバ４８に送出すると共に、左チャンネル用の音楽信号を左ヘッドホン５のヘッドホンドライバ４９に送出する。
【０１７９】
これによりＣＰＵ４０は、右チャンネル用の音楽信号に基づいてヘッドホンドライバ４８を駆動制御して右ヘッドホン４から右チャンネル用の音楽を出力させる。
【０１８０】
またＣＰＵ４０は、左チャンネル用の音楽信号に基づいてヘッドホンドライバ４９を駆動制御して左ヘッドホン５から左チャンネル用の音楽を出力させる。
【０１８１】
このようにしてＣＰＵ４０は、右ヘッドホン４及び左ヘッドホン５を介してユーザにステレオ音楽を聴かせることができる。
【０１８２】
一方、ＣＰＵ４０は、さび再生する際、ＲＯＭ４１から音楽データを読み出す。またＣＰＵ４０は、このときＲＯＭ４１から読み出す音楽データに開始位置情報を対応付けていると、ＲＯＭ４１から、その開始位置情報も読み出す。
【０１８３】
またＣＰＵ４０は、音楽データにおいて開始位置情報が示すさび開始位置から所定の再生時間分の部分をさび部分として上述と同様の再生処理を施すことにより、右チャンネル用及び左チャンネル用のさび部分信号を生成する。
【０１８４】
そしてＣＰＵ４０は、右チャンネル用のさび部分信号を右ヘッドホン４のヘッドホンドライバ４８に送出すると共に、左チャンネル用のさび部分信号を左ヘッドホン５のヘッドホンドライバ４９に送出する。
【０１８５】
これによりＣＰＵ４０は、右チャンネル用のさび部分信号に基づいてヘッドホンドライバ４８を駆動制御して右ヘッドホン４から右チャンネル用の音楽の中でさびの頭から所定の再生時間分を出力させる。
【０１８６】
またＣＰＵ４０は、左チャンネル用のさび部分信号に基づいてヘッドホンドライバ４９を駆動制御して左ヘッドホン５から左チャンネル用の音楽の中でさびの頭から所定の再生時間分を出力させる。
【０１８７】
ただし、ＣＰＵ４０は、さび再生する際、ＲＯＭ４１から読み出す音楽データに開始位置情報を対応付けていない場合は、当該ＲＯＭ４１から音楽データのみを読み出す。
【０１８８】
この際、ＣＰＵ４０は、音楽データにおいて先頭位置から予め選定された所定の再生時間（例えば４５秒）に達する位置をさび開始位置として特定する。
【０１８９】
よってＣＰＵ４０は、この場合、音楽データにおいて、その特定したさび開始位置から所定の再生時間分の部分をさび部分として上述と同様の再生処理を施すことにより、右チャンネル用及び左チャンネル用のさび部分信号を生成する。
【０１９０】
そしてＣＰＵ４０は、右チャンネル用のさび部分信号を右ヘッドホン４のヘッドホンドライバ４８に送出すると共に、左チャンネル用のさび部分信号を左ヘッドホン５のヘッドホンドライバ４９に送出する。
【０１９１】
これによりＣＰＵ４０は、右チャンネル用のさび部分信号に基づいてヘッドホンドライバ４８を駆動制御して右ヘッドホン４から右チャンネル用の音楽の中でさびの頭から所定の再生時間分を出力させる。
【０１９２】
またＣＰＵ４０は、左チャンネル用のさび部分信号に基づいてヘッドホンドライバ４９を駆動制御して左ヘッドホン５から左チャンネル用の音楽の中でさびの頭から所定の再生時間分を出力させる。
【０１９３】
このようにしてＣＰＵ４０は、右ヘッドホン４及び左ヘッドホン５を介してユーザにステレオ音楽のさびを聴かせることができる。
【０１９４】
さらにＣＰＵ４０は、音楽データだけでなく、ガイドデータも再生できるようにもなっている。この場合も、ＣＰＵ４０は、音楽データの通常再生と同様に、ＲＯＭ４１からガイドデータを読み出すと共に、当該読み出したガイドデータに再生処理を施して、右チャンネル用及び左チャンネル用の音声信号を生成する。
【０１９５】
またＣＰＵ４０は、右チャンネル用の音声信号を右ヘッドホン４のヘッドホンドライバ４８に送出すると共に、左チャンネル用の音声信号を左ヘッドホン５のヘッドホンドライバ４９に送出する。
【０１９６】
これによりＣＰＵ４０は、右チャンネル用の音声信号に基づいてヘッドホンドライバ４８を駆動制御して右ヘッドホン４から右チャンネル用の音声ガイド又は効果音を出力させる。
【０１９７】
またＣＰＵ４０は、左チャンネル用の音声信号に基づいてヘッドホンドライバ４９を駆動制御して左ヘッドホン５から左チャンネル用の音声ガイド又は効果音を出力させる。
【０１９８】
このようにしてＣＰＵ４０は、右ヘッドホン４及び左ヘッドホン５を介してユーザに音声ガイド又は効果音を聴かせることができる。
【０１９９】
ところでＣＰＵ４０は、複数の音楽データの再生順序を規定再生順序に設定している状態で通常再生やさび再生を行う場合、複数の音楽データそれぞれの先頭位置から後尾位置までやさび部分を、順序規定リストが示す規定再生順序で順番に再生する。
【０２００】
またＣＰＵ４０は、複数の音楽データの再生順序をシャッフル再生順序に設定している状態で通常再生やさび再生を行う場合、例えば、順序規定リストの示す規定再生順序を無作為に並べ替えてシャッフル再生順序を決定する。
【０２０１】
そしてＣＰＵ４０は、複数の音楽データそれぞれの先頭位置から後尾位置までやさび部分を、そのシャッフル再生順序で順番に再生する。
【０２０２】
このようにしてＣＰＵ４０は、複数の音楽データの再生順序を規定再生順序やシャッフル再生順序に設定した状態で通常再生を行う場合、これら複数の音楽データの再生順序が異なるだけで、基本的には同一の再生制御を行う。
【０２０３】
またＣＰＵ４０は、複数の音楽データの再生順序を規定再生順序やシャッフル再生順序に設定した状態でさび再生を行う場合も、これら複数の音楽データの再生順序が異なるだけで、基本的には同一の再生制御を行う。
【０２０４】
ここで、図２３を用いて、ヘッドホン一体型再生装置１のジョグダイヤル２５の操作と再生制御について詳しく説明する。尚、ここでは、一例として、複数の音楽データの再生順序が規定再生順序に設定された状態での再生制御について説明する。
【０２０５】
上述したようにヘッドホン一体型再生装置１は、ジョグダイヤル２５への種々の操作（短押操作、長押操作、＋回転操作及び−回転操作）により、複数種類の命令を入力することができるようになっている。
【０２０６】
そしてヘッドホン一体型再生装置１のＣＰＵ４０は、ジョグダイヤル２５への操作に応じて、音楽データの再生制御を行う。
【０２０７】
実際、ＣＰＵ４０は、例えば、音楽データを何ら再生してはいない状態（すなわち再生停止の状態）で、ジョグダイヤル２５が短押操作されると、音楽データを通常再生する通常再生モードに移行する。
【０２０８】
通常再生モードに移行するとＣＰＵ４０は、ＲＯＭ４１に記憶されている順序規定リストに基づき、例えば先頭の音楽データから順に通常再生していく。
【０２０９】
この通常再生モード時、ＣＰＵ４０は、ジョグダイヤル２５が＋回転操作されると、順序規定リストに基づき、現在通常再生中の音楽データの再生を停止して、次の音楽データをその先頭位置から通常再生する。すなわちＣＰＵ４０は、ジョグダイヤル２５の＋回転操作に応じて次の曲（音楽データ）の先頭位置への曲送りを行う。
【０２１０】
さらにＣＰＵ４０は、この通常再生モード時に、ジョグダイヤル２５が−回転操作されると、現在通常再生中の音楽データの再生位置に応じた曲戻しを行う。
【０２１１】
具体的にＣＰＵ４０は、ジョグダイヤル２５が−回転操作された時点の音楽データの再生位置が、先頭位置から所定時間（例えば４秒）以内であった場合、この音楽データの再生を停止して、１つ前の音楽データを、その先頭位置から通常再生する。すなわちＣＰＵ４０は、１つ前の曲の先頭位置への曲戻しを行う。
【０２１２】
これに対して、ジョグダイヤル２５が−回転操作された時点の音楽データの再生位置が、先頭位置から所定時間（例えば４秒）を超える場合、ＣＰＵ４０は、この音楽データの再生を一旦停止して、再度、この音楽データを、その先頭位置から通常再生する。すなわちＣＰＵ４０は、通常再生中の曲の先頭位置への曲戻しを行う。
【０２１３】
このようにしてＣＰＵ４０は、ジョグダイヤル２５の−回転操作に応じて、１つ前の曲の先頭位置へ、もしくは通常再生中の曲の先頭位置への曲戻しを行う。
【０２１４】
さらにＣＰＵ４０は、この通常再生モード時に、ジョグダイヤル２５が短押操作されると、音楽データの再生を停止して、再生停止の状態となる。
【０２１５】
さらにＣＰＵ４０は、この通常再生モード時に、ジョグダイヤル２５が長押操作されると、音楽データのさび部分を再生するさび再生モードに移行する。
【０２１６】
このさび再生モードには、さび再生時間が短いさび再生（短）モードと、さび再生時間が長いさび再生（長）モードとの２つのモードがある。ここで、さび再生（短）モードでのさび再生時間は、例えば４秒に設定され、さび再生（長）モードでのさび再生時間は、例えば１５秒に設定されている。
【０２１７】
実際、通常再生モード時に、ジョグダイヤル２５が長押操作されると、ＣＰＵ４０は、さび再生（短）モードとさび再生（長）モードとのうちさび再生（短）モードに移行する。
【０２１８】
通常再生モードからさび再生（短）モードに移行するとＣＰＵ４０は、順序規定リストに基づき、通常再生中の音楽データの再生を停止して、この音楽データの次の音楽データを、そのさび開始位置からさび再生する。そしてＣＰＵ４０は、以降、順序規定リストに基づき、音楽データを順にさび再生していく。このときのさび再生時間は、上述したように４秒である。
【０２１９】
またこのとき（すなわち通常再生モードからさび再生（短）モードへの移行時）ＣＰＵ４０は、さび再生（短）モードに移行した旨をユーザに通知するためのガイドデータを再生する。このとき再生されるガイドデータは、例えば、さび再生（短）モードに移行した旨の音声ガイドを録音した音声データである。このようなガイドデータを再生することで、ＣＰＵ４０は、さび再生（短）モードに移行した旨をユーザに音声のみで認識させることができる。
【０２２０】
さらにＣＰＵ４０は、このさび再生（短）モード時、ジョグダイヤル２５が＋回転操作されると、順序規定リストに基づき、現在さび再生中の音楽データの再生を停止して、次の音楽データをそのさび開始位置からさび再生する。すなわちＣＰＵ４０は、ジョグダイヤル２５の＋回転操作に応じて次の曲（音楽データ）のさび開始位置への曲送りを行う。
【０２２１】
さらにＣＰＵ４０は、このさび再生（短）モード時に、ジョグダイヤル２５が−回転操作されると、現在さび再生中の音楽データの再生を停止して、１つ前の音楽データをそのさび開始位置からさび再生する。すなわちＣＰＵ４０は、ジョグダイヤル２５の−回転操作に応じて１つ前の曲（音楽データ）のさび開始位置への曲戻しを行う。
【０２２２】
さらにＣＰＵ４０は、このさび再生（短）モード時に、ジョグダイヤル２５が短押操作されると、通常再生モードに移行する。
【０２２３】
さび再生（短）モードから通常再生モードに移行するとＣＰＵ４０は、さび再生中の音楽データの再生を停止して、再度、この音楽データを、その先頭位置から通常再生する。そしてＣＰＵ４０は、以降、順序規定リストに基づき、音楽データを順に通常再生していく。
【０２２４】
またこのとき（すなわちさび再生（短）モードから通常再生モードへの移行時）ＣＰＵ４０は、通常再生モードに移行した旨をユーザに通知するためのガイドデータを再生する。このとき再生されるガイドデータは、例えば、通常再生モードに移行した旨の音声ガイドを録音した音声データである。このようなガイドデータを再生することで、ＣＰＵ４０は、通常再生モードに移行した旨をユーザに音声で認識させることができる。
【０２２５】
このようにＣＰＵ４０は、通常再生モード時に、ジョグダイヤル２５を長押操作されると、さび再生（短）モードに移行する。するとＣＰＵ４０は、通常再生モードで通常再生していた音楽データの次の音楽データから順にさび部分を再生していく。
【０２２６】
このように、ＣＰＵ４０は、ジョグダイヤル２５を長押操作するだけの簡易な操作で、通常再生モードからさび再生（短）モードにモードを切り換えることができる。
【０２２７】
そしてＣＰＵ４０は、さび再生（短）モード時に、音楽データのさび部分を順に再生していくことで、さび部分の音声だけで、所望の曲（音楽データ）をユーザに検索させることができる。
【０２２８】
さらにＣＰＵ４０は、音楽データのさび部分を再生中に、ジョグダイヤル２５が短押操作されると、通常再生モードに移行する。するとＣＰＵ４０は、さび部分を再生していた音楽データを、その先頭位置から通常再生する。
【０２２９】
こうすることで、ＣＰＵ４０は、さび再生（短）モードで、所望の曲（音楽データ）を見付けたユーザに対して、直ちにその曲（音楽データ）を聴かせることができる。
【０２３０】
さらにＣＰＵ４０は、このさび再生（短）モード時に、ジョグダイヤル２５が長押操作されると、さび再生（長）モードに移行する。
【０２３１】
さび再生（短）モードからさび再生（長）モードに移行するとＣＰＵ４０は、さび再生中の音楽データのさび再生時間を延長する。すなわち４秒から１５秒に延長する。尚、このとき再生中の音楽データは、さび再生（長）モードに移行した時点から１５秒間さび再生が継続されることになる。そしてＣＰＵ４０は、以降、順序規定リストに基づき、音楽データを順にさび再生していく。このときのさび再生時間は、上述したように１５秒である。
【０２３２】
またこのとき（すなわちさび再生（短）モードからさび再生（長）モードへの移行時）ＣＰＵ４０は、さび再生（長）モードに移行した旨をユーザに通知するためのガイドデータを再生する。このとき再生されるガイドデータは、例えば、さび再生モード内でさび再生（長）モードに移行した旨の音声ガイドを録音した音声データである。このようなガイドデータを再生することで、ＣＰＵ４０は、さび再生モード内でさび再生（長）モードに移行した旨をユーザに音声で認識させることができる。
【０２３３】
またＣＰＵ４０は、このさび再生（長）モード時、ジョグダイヤル２５が＋回転操作されると、順序規定リストに基づき、さび再生中の音楽データの再生を停止して、次の音楽データをそのさび開始位置からさび再生する。すなわちＣＰＵ４０は、ジョグダイヤル２５の＋回転操作に応じて次の曲（音楽データ）のさび開始位置への曲送りを行う。
【０２３４】
さらにＣＰＵ４０は、このさび再生（長）モード時に、ジョグダイヤル２５が−回転操作されると、さび再生中の音楽データの再生を停止して、１つ前の音楽データをそのさび開始位置からさび再生する。すなわちＣＰＵ４０は、ジョグダイヤル２５の−回転操作に応じて１つ前の曲（音楽データ）のさび開始位置への曲戻しを行う。
【０２３５】
さらにＣＰＵ４０は、このさび再生（長）モード時に、ジョグダイヤル２５が長押操作されると、さび再生（短）モードに移行する。
【０２３６】
さび再生（長）モードからさび再生（短）モードに移行するとＣＰＵ４０は、さび再生中の音楽データの再生時間を短縮する。すなわち１５秒から４秒に短縮する。尚、このとき再生中の音楽データは、さび再生（短）モードに移行した時点から４秒間さび再生が継続される。そしてＣＰＵ４０は、以降、順序規定リストに基づき、音楽データを順にさび再生していく。このときのさび再生時間は、上述したように４秒である。
【０２３７】
またこのとき（すなわちさび再生（長）モードからさび再生（短）モードへの移行時）ＣＰＵ４０は、さび再生（短）モードに移行した旨をユーザに通知するためのガイドデータを再生する。このとき再生されるガイドデータは、例えば、さび再生モード内でさび再生（短）モードに移行した旨の音声ガイドを録音した音声データである。このようなガイドデータを再生することで、ＣＰＵ４０は、さび再生モード内でさび再生（短）モードに移行した旨をユーザに音声で認識させることができる。
【０２３８】
さらにＣＰＵ４０は、このさび再生（長）モード時に、ジョグダイヤル２５が短押操作されると、通常再生モードに移行する。
【０２３９】
さび再生（長）モードから通常再生モードに移行するとＣＰＵ４０は、さび再生中の音楽データの再生を停止して、再度、この音楽データを、その先頭位置から通常再生する。そしてＣＰＵ４０は、以降、順序規定リストに基づき、音楽データを順に通常再生していく。
【０２４０】
またこのとき（すなわちさび再生（長）モードから通常再生モードへの移行時）ＣＰＵ４０は、通常再生モードに移行した旨をユーザに通知するためのガイドデータを再生する。このとき再生されるガイドデータは、例えば、さび再生（短）モードから通常再生モードに移行したときに再生されるものと同一の音声データである。このようなガイドデータを再生することで、ＣＰＵ４０は、通常再生モードに移行した旨をユーザに音声で認識させることができる。
【０２４１】
このようにＣＰＵ４０は、さび再生時間が４秒と短いさび再生（短）モード時に、ジョグダイヤル２５が長押操作されると、さび再生時間が１５秒と長いさび再生（長）モードに移行する。またＣＰＵ４０は、さび再生（長）モード時に、長押操作されると、さび再生（短）モードに移行する。
【０２４２】
このようにＣＰＵ４０は、ジョグダイヤル２５を長押操作するだけの簡易な操作で、さび再生モードでのさび再生時間を４秒から１５秒に、またはその逆に切り換えることができる。
【０２４３】
こうすることでＣＰＵ４０は、ユーザに適したさび再生時間でさび再生を行うことができるので、さび再生による曲（音楽データ）の検索のし易さを向上することができる。
【０２４４】
ところで、上述したように、ＣＰＵ４０は、モードの移行時に、モードを移行した旨をユーザに通知するためのガイドデータを再生するようにした。ここで、実際、このガイドデータを再生するときに、このガイドデータの再生と、音楽データの再生とが重なる期間があり、この期間、ＣＰＵ４０は、ガイドデータと音楽データとをミキシング再生する。
【０２４５】
このときＣＰＵ４０は、ガイドデータと音楽データとのうち音楽データの再生音量を小さくすることで、ガイドデータによる音声が音楽で聴こえにくくなってしまうことを防ぐようになっている。
【０２４６】
例えば、通常再生モードからさび再生（短）モードへ移行したとする。このときＣＰＵ４０は、通常再生中の音楽データの再生を停止して、この音楽データの次の音楽データを、そのさび開始位置からさび再生すると共に、さび再生（短）モードに移行した旨をユーザに通知するためのガイドデータを再生する。
【０２４７】
この場合、ガイドデータの再生を開始してから再生中の音楽データの再生が停止されるまでの間と、次の音楽データの再生が開始されてからガイドデータの再生が終了するまでの間とが、音楽データとガイドデータとがミキシング再生される期間となる。
【０２４８】
このときＣＰＵ４０は、通常再生中の音楽データの再生音量を現在の設定値から０まで徐々に小さくして（すなわちフェードアウト処理する）、この音楽データの再生を停止する。またＣＰＵ４０は、次の音楽データの再生を開始すると、この音楽データの再生音量を０から現在の設定値まで徐々に大きくする（すなわちフェードイン処理する）。
【０２４９】
このように、ＣＰＵ４０は、ガイドデータと音楽データとをミキシングする期間で、音楽データに対してフェードアウト・イン処理を行うことで、音楽データの再生音量を小さくするようにした。
【０２５０】
こうすることで、ＣＰＵ４０は、ユーザに対して、より明瞭にガイドデータによる音声を聞かせることができる。
【０２５１】
また例えば、さび再生（短）モードからさび再生（長）モードへ移行したとする。このときＣＰＵ４０は、さび再生中の音楽データの再生時間を延長して再生し続けると共に、さび再生（長）モードに移行した旨をユーザに通知するためのガイドデータを再生する。
【０２５２】
この場合、ガイドデータを再生している期間が、音楽データとガイドデータとがミキシング再生される期間となる。
【０２５３】
このときＣＰＵ４０は、さび再生中の音楽データの再生音量を現在の設定値から例えば数十％小さな値にまで徐々に小さくして（フェードアウト処理して）、所定期間経過後、再び、再生音量を現在の設定値にまで徐々に大きくする（フェードイン処理する）。ここで、さび再生中の音楽データの再生音量を抑えている期間は、ガイドデータの再生時間と同程度に設定されている。
【０２５４】
このようにＣＰＵ４０は、ガイドデータと音楽データとをミキシングする期間で、音楽データの再生音量を小さくするようにした。こうすることで、ＣＰＵ４０は、音楽データのさび再生を継続しながらも、ユーザに対して、より明瞭にガイドデータによる音声を聞かせることができる。
【０２５５】
またＣＰＵ４０は、さび再生モードから通常再生モードへの移行時、さび再生（長）モードからさび再生（短）モード時への移行時にも同様に、ガイドデータと音楽データとをミキシング再生する期間で、音楽データの再生音量を小さくするようになっている。
【０２５６】
さらにＣＰＵ４０は、モードの移行時だけでなく、さび再生モード時での音楽データの切り換わり時にも、音楽データが切り換わった旨をユーザに通知するためのガイドデータを再生するようになっている。尚、ここで言う音楽データの切り換わり時とは、曲送り操作（＋回転操作）がされた時と、曲戻し操作（−回転操作）がされた時と、さび再生時間が経過して自動的に次の音楽データのさび再生に切り換わった時である。
【０２５７】
このとき再生されるガイドデータは、音楽データが次の音楽データに、もしくは１つ前の音楽データに切り換わった旨を示す効果音を録音した効果音データである。このようなガイドデータを再生することで、ＣＰＵ４０は、さび再生モード時に、音楽データが切り換わった旨をユーザに効果音で認識させることができる。
【０２５８】
この場合も、このガイドデータの再生と、音楽データの再生とが重なる期間があり、この期間、ＣＰＵ４０は、ガイドデータと音楽データとをミキシング再生する。
【０２５９】
このときもＣＰＵ４０は、ガイドデータと音楽データとのうち音楽データの再生音量を小さくすることで、ガイドデータによる音声が音楽で聴こえにくくなってしまうことを防ぐようになっている。
【０２６０】
例えば、曲送り操作がされたとする。このときＣＰＵ４０は、さび再生中の音楽データの再生を停止して、次の音楽データをそのさび開始位置からさび再生すると共に、音楽データが切り換わった旨をユーザに通知するためのガイドデータを再生する。
【０２６１】
この場合、ガイドデータの再生が開始されてからさび再生中の音楽データの再生が停止されるまでの間と、次の音楽データのさび再生が開始されてからガイドデータの再生が終了するまでの間とが、音楽データとガイドデータとがミキシング再生される期間となる。
【０２６２】
このときＣＰＵ４０は、さび再生中の音楽データの再生音量を現在の設定値から０まで徐々に小さくして（すなわちフェードアウト処理する）、この音楽データの再生を停止する。またＣＰＵ４０は、次の音楽データのさび再生を開始すると、この音楽データの再生音量を０から現在の設定値まで徐々に大きくする（すなわちフェードイン処理する）。
【０２６３】
こうすることで、ＣＰＵ４０は、ユーザに対して、より明瞭にガイドデータによる音声を聞かせることができる。
【０２６４】
またＣＰＵ４０は、曲戻し操作がされた時、さび再生時間が経過して次の音楽データのさび再生に切り換わった時にも同様に、ガイドデータと音楽データとをミキシング再生する期間で、音楽データの再生音量を小さくするようになっている。
【０２６５】
上述したように、ヘッドホン一体型再生装置１は、ジョグダイヤル２５の操作だけで、モードの切り換え、再生開始、再生停止、曲送り、曲戻しと言った複数の命令入力を行うことができる。
【０２６６】
さらにヘッドホン一体型再生装置１は、さび再生モードで音楽データのさび部分を順に再生していくことで、音楽データに関する情報（曲名など）を表示する表示部がなくとも、複数の音楽データの中から所望の音楽データを容易にユーザに探させることができる。
【０２６７】
またヘッドホン一体型再生装置１は、モードの切り換え時、及び再生する音楽データの切り換え時に、この旨を通知するためのガイドデータを再生することで、この旨をユーザに容易に認識させることができる。
【０２６８】
かくして、ヘッドホン一体型再生装置１は、表示部がないにもかかわらず、表示部を有する再生装置と、同等もしくはそれ以上の使い勝手を実現することができる。
【０２６９】
ところで上述したように、ヘッドホン一体型再生装置１（図２２）には、印加磁界の強さ（すなわち、磁束密度）の変化に基づき右筐体２と左筐体３との接続の有無を検出する検出部３３が設けられている。
【０２７０】
図２４に示すように、検出部３３は、上述したように磁気センサ６０を有し、当該磁気センサ６０には電源端子、出力端子及び接地端子が設けられている。
【０２７１】
磁気センサ６０は、電源端子がＣＰＵ４０内の電源回路の電力供給端子に接続されると共に、出力端子がＣＰＵ４０の入力端子（汎用ポート）に接続され、接地端子が接地されている。
【０２７２】
また検出部３３は、磁気センサ６０の電源端子と電源回路の電力供給端子との接続中点が第１のコンデンサ６１を介して接地されると共に、当該磁気センサ６０の出力端子とＣＰＵ４０の入力端子との接続中点が第２のコンデンサ６２を介して接地されている。
【０２７３】
そして図２５に示すように、検出部３３は、磁気センサ６０により、右筐体２と左筐体３との距離（すなわち、検出部３３と、磁石３０との距離）に応じて変化する印加磁界（すなわち、磁石３０による印加磁界）の強さを磁束密度の値として検出する。
【０２７４】
この場合、図２５に示す特性曲線Ａからも明らかなように、磁気センサ６０によって検出される磁束密度は、右筐体２と左筐体３とが近づくほど高い値となり、右筐体２及び左筐体３が吸着板２０及び磁石３０を介して接続された状態で最も高い値となる。また磁気センサ６０によって検出される磁束密度は、右筐体２と左筐体３とが離れるほど低い値となる。
【０２７５】
このため検出部３３において磁気センサ６０には、右筐体２と左筐体３との接続の有無を検出するために任意に選定された第１のしきい値ＴＨ１と、当該第１のしきい値ＴＨ１よりも低い第２のしきい値ＴＨ２とが設定されている。
【０２７６】
よって検出部３３において磁気センサ６０は、例えば、ＣＰＵ４０が電源オン状態になり電源回路から電力が供給されて動作を開始すると、その動作開始時点に検出した磁束密度の値を第１及び第２のしきい値ＴＨ１及びＴＨ２と比較する。
【０２７７】
その結果、磁気センサ６０は、磁束密度の値が第１のしきい値ＴＨ１以上であると、右筐体２及び左筐体３とが接続されたことを示す論理「Ｌ」レベルの接続検出信号をＣＰＵ４０に送出する。
【０２７８】
これに対して磁気センサ６０は、その動作開始時点に検出した磁束密度の値が第２のしきい値ＴＨ２以下であると、右筐体２と左筐体３とか離隔していることを示す論理「Ｈ」レベルの離隔検出信号をＣＰＵ４０に送出する。
【０２７９】
また磁気センサ６０は、動作中には常時、磁束密度を検出すると共に、当該検出した磁束密度の値を第１及び第２のしきい値ＴＨ１及びＴＨ２と比較している。
【０２８０】
磁気センサ６０は、一度、第１のしきい値ＴＨ１以上の値の磁束密度を検出して接続検出信号をＣＰＵ４０に送出すると、この後、第２のしきい値ＴＨ２以下の値の磁束密度を検出するまでの間は、接続検出信号をＣＰＵ４０に送出し続ける。
【０２８１】
そして磁気センサ６０は、接続検出信号をＣＰＵ４０に送出している状態で、第２のしきい値ＴＨ２以下の値の磁束密度を検出すると、その時点に、接続検出信号に替えて離隔検出信号をＣＰＵ４０に送出する。
【０２８２】
また磁気センサ６０は、一度、第２のしきい値ＴＨ２以下の値の磁束密度を検出して離隔検出信号をＣＰＵ４０に送出すると、この後、第１のしきい値ＴＨ１以上の値の磁束密度を検出するまでの間は、離隔検出信号をＣＰＵ４０に送出し続ける。
【０２８３】
そして磁気センサ６０は、離隔検出信号をＣＰＵ４０に送出している状態で、第１のしきい値ＴＨ１以上の値の磁束密度を検出すると、その時点に、離隔検出信号に替えて接続検出信号をＣＰＵ４０に送出する。
【０２８４】
このようにして検出部３３は、磁気センサ６０により右筐体２と左筐体３との接続の有無を検出すると共に、その検出結果を接続検出信号及び離隔検出信号としてＣＰＵ４０に通知し得るようになされている。
【０２８５】
因みに、以下の説明では、接続検出信号と離隔検出信号とを特に区別する必要のない場合には、これらをまとめて接続有無検出信号とも呼ぶ。
【０２８６】
一方、ＣＰＵ４０は、検出部３３から接続有無検出信号が与えられると、当該与えられた接続有無検出信号に応じて種々の制御を実行する。
【０２８７】
図２６（Ａ）乃至（Ｆ）に示すように、ＣＰＵ４０は、右筐体２と左筐体３とが離された状態でジョグダイヤル２５が短押操作されると、ジョグダイヤル２５から短押操作の間のみ論理「Ｈ」レベルに立ち上がる操作信号Ｓ１を取り込む（図２６（Ａ））。このときＣＰＵ４０は、その操作信号Ｓ１に応じて電源オン命令が入力されたと判断する。
【０２８８】
そしてＣＰＵ４０は、電源オン命令の入力を判断すると、バッテリ４３から供給電力ＰＷ１を電源回路に取り込んで（図２６（Ｂ））、当該電源回路により供給電力ＰＷ１をもとに動作用電力ＰＷ２を生成する（図２６（Ｃ））。
【０２８９】
これによりＣＰＵ４０は、動作用電力ＰＷ２により電源オン状態となり動作を開始すると共に、各回路ブロックへ対応する動作用電力ＰＷ２を供給して適宜動作させる。
【０２９０】
その結果、ＣＰＵ４０は、このとき動作を開始した検出部３３から右筐体２と左筐体３との離隔が検出されて離隔検出信号Ｓ２Ａが与えられる（図２６（Ｄ））と、これに応じて各回路ブロックの制御を継続して適宜動作させる。
【０２９１】
このようにしてＣＰＵ４０は、右筐体２と左筐体３とが離隔されている状態で動作していると、例えば、電源回路を介してバッテリ４３の残量を検出する。
【０２９２】
そしてＣＰＵ４０は、その検出結果に応じた発光制御信号Ｓ３を生成して残量通知発光部２７に送出することにより、当該残量通知発光部２７を発光制御信号Ｓ３に基づいて制御して、バッテリ４３の残量に応じた発光色で発光させる（図２６（Ｅ））。
【０２９３】
ただしヘッドホン一体型再生装置１は、ユーザの右耳介及び左耳介に装着されていると、右筐体２において残量通知発光部２７の設けられた右筐体内面２Ａがユーザの頬に向き、ユーザに残量通知発光部２７を直接見せることはできない。
【０２９４】
このためＣＰＵ４０は、電源オン状態では残量通知発光部２７を所定周期（例えば、５〔sec〕周期）で順次制御することにより、当該残量通知発光部２７を定期的に、バッテリ４３の残量に応じた発光色で点滅させる。これによりＣＰＵ４０は、残量通知発光部２７の発光によりバッテリ４３の電力が無駄に消費されることを防止している。
【０２９５】
またＣＰＵ４０は、例えば、右筐体２と左筐体３とが離されたままの電源オン状態でジョグダイヤル２５が短押操作されると、当該ジョグダイヤル２５から与えられる短押操作の間のみ論理「Ｈ」レベルに立ち上がる操作信号を取り込む。このとき、ＣＰＵ４０は、その操作信号に応じて音楽データＤ１の再生開始命令が入力されたと判断する。
【０２９６】
そしてＣＰＵ４０は、このように再生開始命令の入力を判断すると、上述したように音楽データＤ１を再生することにより、その音楽データＤ１に基づくステレオ音楽を右ヘッドホン４及び左ヘッドホン５から出力してユーザに聴かせる（図２６（Ｆ））。
【０２９７】
ところで、図２７（Ａ）乃至（Ｆ）に示すように、ＣＰＵ４０は、右筐体２と左筐体３とが離隔されたまま、電源オン命令の入力（図２７（Ａ））に応じて電源オン状態になっていると、操作部４４への音楽データＤ１の再生に関する何れの操作も有効にしている。
【０２９８】
因みに、操作部４４への操作により命令を入力する操作入力が有効な状態とは、ＣＰＵ４０が操作部４４に対する操作に応じて操作命令の入力を受け付ける（すなわち、入力される操作命令を判断する）状態である。
【０２９９】
そして、音楽データＤ１の再生に関する操作とは、音楽データＤ１の再生を開始及び停止するためや、再生モードを切り換えるため、また曲送りや曲戻し等をするためのジョグダイヤル２５に対する短押操作及び長押操作並びに＋回転操作及び−回転操作である。
【０３００】
また音楽データＤ１の再生に関する操作とは、音楽データＤ１の再生順序を切り換えるための再生順序切換スイッチ２６に対するスライド操作や、音量を調整するための音量調整キー２４に対する押下操作である。
【０３０１】
よってＣＰＵ４０は、右筐体２と左筐体３とが離隔されている間は、ユーザに対し操作部４４を介して、音楽データＤ１の再生に関する再生開始命令や再生停止命令、再生順序切換命令等の種々の操作命令の何れも入力させることができる。
【０３０２】
このためＣＰＵ４０は、右筐体２と左筐体３とが離隔されていると、上述したような音楽データＤ１の通常再生やさび再生を実行することができる（図２７（Ｆ））。
【０３０３】
因みに、以下の説明では、音楽データＤ１の通常再生とさび再生とを特には区別する必要がない場合、これらをまとめて、単に再生とも呼ぶ。
【０３０４】
すなわち、ＣＰＵ４０は、右筐体２と左筐体３とが離隔されていると、操作部４４に対する操作に応じて各回路ブロックを制御することにより、ヘッドホン一体型再生装置１を音楽の通常再生やさび再生に自由に使用させることができる。
【０３０５】
またＣＰＵ４０は、このように音楽データＤ１の再生中は、上述と同様に発光制御信号Ｓ３に基づいて残量通知発光部２７を制御してバッテリ４３の残量に応じた発光色で発光させる（図２７（Ｅ））。
【０３０６】
この状態でＣＰＵ４０は、検出部３３から右筐体２と左筐体３との接続が検出されて離隔検出信号Ｓ２Ａに替え接続検出信号Ｓ２Ｂが与えられる（図２７（Ｄ））と、実行中の音楽データＤ１の再生を強制的に停止する（図２７（Ｆ））。
【０３０７】
またＣＰＵ４０は、音楽データＤ１の再生を強制的に停止させると、引き続き残量通知発光部２７に対する発光制御信号Ｓ３の送出を停止して発光も停止させる（図２７（Ｅ））。
【０３０８】
ただし右筐体２と左筐体３との接続が検出されたときには、ヘッドホン一体型再生装置１が図１４及び図１５のように右耳介及び左耳介から外され、残量通知発光部２７をユーザの顔に向けたまま右筐体２と左筐体３とが接続されている場合がある。
【０３０９】
このためＣＰＵ４０は、右筐体２と左筐体３との接続が検出されると、残量通知発光部２７に対する発光制御信号Ｓ３の送出周期を無視し、音楽データＤ１の再生を強制的に停止した後、ただちに発光制御信号Ｓ３を残量通知発光部２７に送出する。
【０３１０】
これによりＣＰＵ４０は、右筐体２と左筐体３との接続が検出されたときには、その時点までの所定の発光周期を無視して、発光制御信号Ｓ３に基づき残量通知発光部２７を最後に一度（すなわち、数秒程度の短時間）点灯させた後、発光を停止させる。
【０３１１】
よってＣＰＵ４０は、ユーザにより残量通知発光部２７を顔に向けたまま右筐体２と左筐体３とが接続されていると、このとき残量通知発光部２７を介してバッテリ４３の残量をほぼ確実に通知して確認させることができる。
【０３１２】
またＣＰＵ４０は、残量通知発光部２７の発光を停止させると、引き続き電源回路を制御して動作用電力ＰＷ２の生成を停止すると共に、各回路ブロックへの動作用電力ＰＷ２の供給も停止して各回路ブロックの動作を停止させる（図２７（Ｃ））。
【０３１３】
さらにＣＰＵ４０は、各回路ブロックの動作を停止させると、引き続きバッテリ４３からの供給電力ＰＷ１の取り込みも停止して、自己の動作を停止させ、電源オフ状態に移行する（図２７（Ｂ））。
【０３１４】
このようにしてＣＰＵ４０は、ヘッドホン一体型再生装置１が音楽を聴くために使用されているときに、右筐体２と左筐体３との接続が検出されると、これに応じてヘッドホン一体型再生装置１の使用が終了したものとみなし、電源オフ状態になる。
【０３１５】
因みに、ＣＰＵ４０は、右筐体２と左筐体３との接続が検出されたときには、その検出に応じて発光制御信号を生成し、当該生成した発光制御信号を状態通知発光部２８に送出する。
【０３１６】
これによりＣＰＵ４０は、発光制御信号に基づき状態通知発光部２８を、例えば、一度だけ（すなわち、数秒程度の短時間だけ）白色に点灯させ、かくして状態通知発光部２８の、その点灯により電源オフ状態に移行したことを通知している。
【０３１７】
また図２８（Ａ）乃至（Ｆ）に示すように、ＣＰＵ４０は、上述のように右筐体２と左筐体３とが離隔されたまま、電源オン命令の入力（図２８（Ａ））に応じて電源オン状態になっていると、操作部４４への何れの操作も有効にしている。
【０３１８】
しかしながらＣＰＵ４０は、この際、音楽データＤ１の再生に関する操作が何ら行われていないと、音楽データＤ１の再生を実行せず（図２８（Ｆ））、また残量通知発光部２７も何ら制御しないことで発光を停止させている（図２８（Ｅ））。
【０３１９】
この状態でＣＰＵ４０は、検出部３３から右筐体２と左筐体３との接続が検出されて離隔検出信号Ｓ２Ａに替え接続検出信号Ｓ２Ｂが与えられる（図２８（Ｄ））と、その時点のバッテリ４３の残量に応じた発光制御信号Ｓ３を生成する。
【０３２０】
そしてＣＰＵ４０は、その発光制御信号Ｓ３を残量通知発光部２７に送出することにより、発光制御信号Ｓ３に基づき残量通知発光部２７を、バッテリ４３の残量に応じた発光色で一度（すなわち、数秒程度の短時間）点灯させた後、発光を停止させる。
【０３２１】
よってＣＰＵ４０は、この際、ユーザにより残量通知発光部２７を顔に向けたまま右筐体２と左筐体３とが接続されていると、このとき残量通知発光部２７を介してバッテリ４３の残量をほぼ確実に通知して確認させることができる。
【０３２２】
またＣＰＵ４０は、残量通知発光部２７の発光を停止させると、引き続き電源回路を制御して動作用電力ＰＷ２の生成を停止すると共に、各回路ブロックへの動作用電力ＰＷ２の供給も停止して各回路ブロックの動作を停止させる（図２８（Ｃ））。
【０３２３】
さらにＣＰＵ４０は、各回路ブロックの動作を停止させると、引き続きバッテリ４３からの供給電力ＰＷ１の取り込みも停止して、自己の動作を停止させ、電源オフ状態に移行する（図２８（Ｂ））。
【０３２４】
このようにしてＣＰＵ４０は、電源オン状態で音楽データＤ１を再生してはいなくても、右筐体２と左筐体３との接続が検出されると、これに応じてヘッドホン一体型再生装置１の使用が終了したものとみなし、電源オフ状態になる。
【０３２５】
因みに、ＣＰＵ４０は、この場合も、上述と同様に状態通知発光部２８を点灯させて電源オフ状態への移行を通知する。
【０３２６】
ところで、図２９（Ａ）及び（Ｂ）に示すように、ＣＰＵ４０は、電源オン状態では検出部３３から与えられる接続有無検出信号Ｓ２のレベルを常時、監視している。
【０３２７】
そしてＣＰＵ４０は、検出部３３から与えられる接続有無検出信号Ｓ２のレベルの立ち下がり（すなわち、離隔検出信号Ｓ２Ａから接続検出信号Ｓ２Ｂへの切り替わり）を検出する。
【０３２８】
ＣＰＵ４０は、このようにして接続有無検出信号Ｓ２のレベルの立ち下がりを検出すると、その立下検出時点から予め選定された所定時間（例えば、数百〔msec〕）が経過するまでは、右筐体２と左筐体３との接続に応じた制御の実行を保留する。
【０３２９】
またＣＰＵ４０は、立下検出時点から所定時間が経過すると、接続有無検出信号Ｓ２のレベルを所定周期（例えば、100〔msec〕周期）で数回（例えば、３回）検出する。
【０３３０】
その結果、ＣＰＵ４０は、接続有無検出信号Ｓ２に対して数回検出したレベルが全て論理「Ｌ」レベルで一致すると、右筐体２と左筐体３とが接続されたと判断する。
【０３３１】
すなわち、ＣＰＵ４０は、検出部３３から離隔検出信号Ｓ２Ａに替えて接続検出信号Ｓ２Ｂが与えられ続けると、右筐体２と左筐体３とが接続されたと判断する。
【０３３２】
このようにしてＣＰＵ４０は、右筐体２と左筐体３とが接続されたと判断すると、その判断に応じて、上述したように音楽データＤ１の再生等を停止させて、最終的には電源オフ状態になる。
【０３３３】
これに対してＣＰＵ４０は、接続有無検出信号Ｓ２に対して数回検出したレベルが論理「Ｌ」レベルで一致しないと、右筐体２と左筐体３とが接続されてはいないと判断する。
【０３３４】
すなわち、ＣＰＵ４０は、検出部３３から離隔検出信号Ｓ２Ａに替えて与えられた接続検出信号Ｓ２Ｂが再び離隔検出信号Ｓ２Ａに替わると、右筐体２と左筐体３とが接続されてはいないと判断する。
【０３３５】
そしてＣＰＵ４０は、右筐体２と左筐体３とが接続されてはいないと判断すると、電源オン状態を維持することにより、このとき実行中の再生等の処理も継続して実行する。
【０３３６】
このようにしてＣＰＵ４０は、ユーザにより右筐体２と左筐体３とが意識的に接続されたときにのみ、処理の停止や電源オフへの制御を実行する。
【０３３７】
すなわち、ＣＰＵ４０は、ユーザにより右筐体２と左筐体３とが誤って一時的に接続されたとき、ユーザが望まないのに音楽の出力を強制的に停止し、また電源をオフすることを防止している。
【０３３８】
特に検出部３３は、磁気センサ６０の配置精度や検出精度等に応じて、右筐体２と左筐体３とが完全に接続されたときのみならず、これらがある程度（例えば、数ミリの距離まで）近づいた状態でも、右筐体２と左筐体３とが接続されたと検出している。
【０３３９】
このため、ＣＰＵ４０は、ユーザにより右筐体２と左筐体３とが誤って一時的に近づけられたときにも、ユーザが望まないのに音楽の出力を強制的に停止し、また電源をオフすることを防止している。
【０３４０】
ところで図３０（Ａ）乃至（Ｆ）に示すように、ＣＰＵ４０は、右筐体２と左筐体３とが接続された状態でジョグダイヤル２５が短押操作されると、これに応じてジョグダイヤル２５から与えられる操作信号Ｓ１を取り込む（図３０（Ａ））。このときＣＰＵ４０は、その操作信号Ｓ１に応じて電源オン命令が入力されたと判断する。
【０３４１】
そしてＣＰＵ４０は、電源オン命令の入力を判断すると、バッテリ４３から供給電力ＰＷ１を電源回路に取り込んで（図３０（Ｂ））、当該電源回路により供給電力ＰＷ１をもとに動作用電力ＰＷ２を生成する（図３０（Ｃ））。
【０３４２】
これによりＣＰＵ４０は、動作用電力ＰＷ２により電源オン状態となり動作を開始すると共に、各回路ブロックへ対応する動作用電力ＰＷ２を供給して適宜動作させる。
【０３４３】
しかしながらＣＰＵ４０は、このとき動作を開始した検出部３３から右筐体２と左筐体３とが接続されていることが検出されて接続検出信号Ｓ２Ｂが与えられる（図３０（Ｄ））と、これに応じて電源回路を制御して動作用電力ＰＷ２の生成を停止する。
【０３４４】
そしてＣＰＵ４０は、各回路ブロックへの動作用電力ＰＷ２の供給も停止して各回路ブロックの動作を停止させる（図３０（Ｃ））。
【０３４５】
またＣＰＵ４０は、各回路ブロックの動作を停止させると、引き続きバッテリ４３からの供給電力ＰＷ１の取り込みも停止して、自己の動作を停止させ、再び電源オフ状態に戻る（図３０（Ｂ））。
【０３４６】
ここで、ヘッドホン一体型再生装置１は、電源オフ状態でジョグダイヤル２５が短押操作されると、その短押操作を電源オン命令の入力用の操作とみなし、かかる操作の後に、操作部４４に対して音楽データＤ１の再生に関する操作を行わせる。
【０３４７】
しかしながら、ＣＰＵ４０は、右筐体２と左筐体３とが接続され、かつ電源オフ状態でジョグダイヤル２５が短押操作されると、電源オン状態に移行するものの、すぐに電源オフ状態に戻る。
【０３４８】
このためＣＰＵ４０は、右筐体２と左筐体３とが接続されている間は、ジョグダイヤル２５に対する電源オン命令の入力用の短押操作のみを受け付け、実質的に操作部４４に対する音楽データＤ１の再生に関する操作を全て無効にするように制御している。
【０３４９】
因みに、操作部４４への音楽データＤ１の再生に関する操作が無効な状態とは、ＣＰＵ４０が操作部４４への音楽データＤ１の再生に関する操作に応じた操作命令の入力を受け付けない状態である。
【０３５０】
これによりＣＰＵ４０は、例えば、右筐体２と左筐体３とが接続された状態で持ち運ばれている途中に操作部４４が誤操作されても、音楽データＤ１を再生せずに（図３０（Ｆ））、かくしてバッテリ４３の電力が無駄に消費されることを防止することができる。
【０３５１】
またＣＰＵ４０は、例えば、右筐体２と左筐体３とが接続された状態で持ち運ばれている途中に操作部４４が誤操作されても、残量通知発光部２７等も発光させず（図３０（Ｅ））、バッテリ４３の電力が無駄に消費されることをさらに防止することができる。
【０３５２】
因みに、ＣＰＵ４０は、右筐体２と左筐体３とが接続されている間は、ジョグダイヤル２５の短押操作に応じて一時的に電源オン状態になるものの、状態通知発光部２８等を全く発光させず、ヘッドホン一体型再生装置１を外見上は何ら変化させていない。
【０３５３】
よってＣＰＵ４０は、右筐体２と左筐体３とが接続されている間は、電源オン命令の入力用の短押操作も含めて、操作を全く受け付けていないように（すなわち、操作部４４をホールド状態にしているように）見せている。
【０３５４】
これによりＣＰＵ４０は、右筐体２と左筐体３とが接続されている状態で、ユーザにより操作部４４が操作されたときには、その操作を無効にするように設定していることを容易に認識させることができる。
【０３５５】
よってＣＰＵ４０は、右筐体２と左筐体３とが接続されている間は、例えば、ユーザによりジョグダイヤル２５が何度も短押操作されて、電源オン状態と電源オフ状態とに交互に移行してバッテリ４３の電力が無駄に消費されることも防止することができる。
【０３５６】
［１−４  動作制御処理］
次いで、図３１に示すフローチャートを用いて、ヘッドホン一体型再生装置１のＣＰＵ４０が、右筐体２と左筐体３との接続の有無に応じて実行する動作制御処理手順ＲＴ１について説明する。
【０３５７】
ＣＰＵ４０は、電源オフ状態でジョグダイヤル２５が短押操作されて電源オン命令が入力されたことに応じて電源オン状態になると、ＲＯＭ４１に予め記憶している動作制御プログラムに従って図３１に示す動作制御処理手順ＲＴ１を開始する。
【０３５８】
ＣＰＵ４０は、かかる動作制御処理手順ＲＴ１を開始すると、ステップＳＰ１においてバッテリ４３から供給される供給電力ＰＷ１をもとに各回路ブロックの動作用の動作用電力ＰＷ２を生成する。
【０３５９】
そしてＣＰＵ４０は、検出部３３を含む各回路ブロックそれぞれに動作用電力ＰＷ２を供給することにより、検出部３３及び他の回路ブロックに動作を開始させて、次のステップＳＰ２に移る。
【０３６０】
ステップＳＰ２においてＣＰＵ４０は、動作を開始した検出部３３から右筐体２と左筐体３との接続の有無を検出して与えられる接続有無検出信号Ｓ２に基づき、これら右筐体２と左筐体３とが離隔しているか否かを判別する。
【０３６１】
このステップＳＰ２において肯定結果が得られると、このことは、例えば、ユーザにより右筐体２と左筐体３とが離されてヘッドホン一体型再生装置１が右耳介及び左耳介に装着されていることを表している。そしてステップＳＰ２においてＣＰＵ４０は、かかる肯定結果を得ると、次のステップＳＰ３に移る。
【０３６２】
ステップＳＰ３においてＣＰＵ４０は、検出部３３から引き続き右筐体２と左筐体３との接続の有無を検出して与えられる接続有無検出信号Ｓ２に基づき、これら右筐体２と左筐体３とが接続されたか否かを判別する。
【０３６３】
このステップＳＰ３において肯定結果が得られると、このことは、例えば、ヘッドホン一体型再生装置１が右耳介及び左耳介から外されて、それまで分離されていた右筐体２と左筐体３とが吸着板２０及び磁石３０を介して接続されたことを表している。そしてステップＳＰ３においてＣＰＵ４０は、かかる肯定結果を得ると、次のステップＳＰ４に移る。
【０３６４】
ステップＳＰ４においてＣＰＵ４０は、現在、音楽データＤ１を再生中であるか否かを判別する。このステップＳＰ４において肯定結果が得られると、このことは、例えば、音楽データＤ１の再生を停止させずに、ユーザによりヘッドホン一体型再生装置１が右耳介及び左耳介から外されて右筐体２と左筐体３とが接続されたことを表している。このステップＳＰ４においてＣＰＵ４０は、かかる肯定結果を得ると、次のステップＳＰ５に移る。
【０３６５】
ステップＳＰ５においてＣＰＵ４０は、現在実行中の音楽データＤ１の再生を強制的に停止させて、次のステップＳＰ６に移る。
【０３６６】
ステップＳＰ６においてＣＰＵ４０は、現在のバッテリ４３の残量に応じた発光制御信号Ｓ３を生成すると共に、当該生成した発光制御信号Ｓ３に基づいて残量通知発光部２７を制御する。これによりＣＰＵ４０は、残量通知発光部２７を、現在のバッテリ４３の残量に応じた発光色で一度（すなわち、数秒程度の短時間）点灯させる。
【０３６７】
またＣＰＵ４０は、右筐体２と左筐体３との接続の検出に応じて発光制御信号を生成し、当該生成した発光制御信号に基づいて状態通知発光部２８を制御する。これによりＣＰＵ４０は、状態通知発光部２８を、電源オフ状態への移行の通知用に一度だけ（すなわち、数秒程度の短時間だけ）白色に点灯させて、次のステップＳＰ７に移る。
【０３６８】
ステップＳＰ７においてＣＰＵ４０は、動作用電力ＰＷ２の生成を停止すると共に、検出部３３を含む各回路ブロックへの動作用電力ＰＷ２の供給も停止して検出部３３と共に他の回路ブロックの動作を停止させて、次のステップＳＰ８に移る。
【０３６９】
そしてステップＳＰ８においてＣＰＵ４０は、バッテリ４３からの供給電力ＰＷ１の取り込みと共に自己の動作を停止させて電源オフ状態に移行することにより、実質的に動作制御処理手順ＲＴ１を終了する。
【０３７０】
ところで、上述したステップＳＰ３において否定結果が得られると、このことは例えば、ユーザによりヘッドホン一体型再生装置１が右耳介及び左耳介に装着されて使用されている途中であることを表している。そしてステップＳＰ３においてＣＰＵ４０は、かかる否定結果を得ると、ステップＳＰ９に移る。
【０３７１】
ステップＳＰ９においてＣＰＵ４０は、電源オフ状態に移行するか否かを判別する。このステップＳＰ９において否定結果が得られると、このことは、ユーザにより未だジョグダイヤル２５が短押操作されて電源オフ命令が入力されてはいない、すなわち、ヘッドホン一体型再生装置１が使用中であることを表している。ステップＳＰ９においてＣＰＵ４０は、かかる否定結果を得ると、ステップＳＰ３に戻る。
【０３７２】
よってＣＰＵ４０は、この後、ステップＳＰ３やステップＳＰ９において肯定結果を得るまでの間、例えば、操作部４４に対するユーザの操作に応じて適宜、音楽データＤ１の再生を実行しながら、ステップＳＰ３及びステップＳＰ９の処理を循環的に繰り返す。
【０３７３】
そしてステップＳＰ９において肯定結果が得られると、このことは、ユーザによりジョグダイヤル２５が短押操作されて電源オフ命令が入力された、すなわち、ヘッドホン一体型再生装置１の使用が終了されたことを表している。ステップＳＰ９においてＣＰＵ４０は、かかる肯定結果を得ると、ステップＳＰ６に移る。
【０３７４】
また上述のステップＳＰ２において否定結果が得られると、このことは、電源オン状態になった時点には、すでに右筐体２と左筐体３とが接続されていたことを表している。すなわち、かかる否定結果は、右筐体２と左筐体３とが接続されたまま、電源オン命令が入力され、これに応じて電源オン状態になったことを表している。ステップＳＰ２においてＣＰＵ４０は、かかる否定結果を得ると、ステップＳＰ７に移る。
【０３７５】
このようにしてＣＰＵ４０は、右筐体２及び左筐体３が離隔された状態で動作しているときに、これら右筐体２と左筐体３とが接続されると、ユーザに操作部４４を何ら操作させずに種々の制御を実行することができる。
【０３７６】
［１−５  実施の形態の動作及び効果］
以上の構成において、ヘッドホン一体型再生装置１は、使用時、右ヘッドホン４が設けられた右筐体２と、左ヘッドホン５が設けられた左筐体３とを離隔させて、当該右ヘッドホン４を右耳介に装着させ、左ヘッドホン５を左耳介に装着させることができる。
【０３７７】
この状態でヘッドホン一体型再生装置１は、操作部４４が操作されると、その操作に応じて電源オフ状態から電源オン状態に移行し、また音楽データを再生して右ヘッドホン４及び左ヘッドホン５からステレオ音楽を出力して聴かせることができる。
【０３７８】
またヘッドホン一体型再生装置１は、右耳介及び左耳介から右ヘッドホン４及び左ヘッドホン５が外された非使用時には、右筐体２と左筐体３とを吸着板２０及び磁石３０を介して接続させてコンパクトにまとめることができる。
【０３７９】
そしてヘッドホン一体型再生装置１は、電源オン状態の間、右筐体２と左筐体３との接続の有無を検出するようにして、当該右筐体２と左筐体３との接続を検出すると、自動的に電源オン状態から電源オフ状態に移行する。
【０３８０】
またヘッドホン一体型再生装置１は、右筐体２と左筐体３とが接続されるときに、音声データ（音楽データやガイドデータ）を再生していると、その音声データの再生を強制的に停止させたうえで、電源オン状態から電源オフ状態に移行する。
【０３８１】
従って、ヘッドホン一体型再生装置１は、使用が終了されたときや持ち運ばれるときに、右筐体２と左筐体３とをコンパクトにまとめるように吸着板２０及び磁石３０を介して接続させるだけで、操作部４４を何ら操作させずに、音声データの再生の停止や電源オン状態から電源オフ状態へ移行するための制御を自動的に実行することができる。
【０３８２】
よってヘッドホン一体型再生装置１は、例えば、右耳介及び左耳介から右ヘッドホン４及び左ヘッドホン５が外されて右筐体２と左筐体３とが接続されるとき、ユーザが再生停止命令や電源オフ命令を入力し忘れても、再生を強制的に停止させることができる。またヘッドホン一体型再生装置１は、このとき電源オフ状態に移行することもでき、その結果、バッテリ４３の電力が無駄に消費されることを防止することができる。
【０３８３】
以上の構成によれば、ヘッドホン一体型再生装置１は、操作部４４と共に右ヘッドホン４が設けられた右筐体２と、左ヘッドホン５が設けられた左筐体３とが吸着板２０及び磁石３０を介して接続されたことを検出すると、自動的に電源オン状態から電源オフ状態に移行するように制御し、また音声データの再生を強制的に停止させたうえで、電源オン状態から電源オフ状態に移行するように制御した。
【０３８４】
これによりヘッドホン一体型再生装置１は、使用が終了されたときや持ち運ばれるときに、右筐体２と左筐体３とを接続させるだけで、本来であれば、操作部４４の操作を要する制御を自動的に実行することができる。よってヘッドホン一体型再生装置１は、操作部４４の操作を極力減らして使い勝手を向上させることができる。
【０３８５】
またヘッドホン一体型再生装置１は、ジョグダイヤル２５の短押操作に応じて電源オフ状態から電源オン状態に移行しても、その時点に右筐体２と左筐体３との接続が検出されると、直ちに電源オン状態から電源オフ状態に移行するように制御する。これによりヘッドホン一体型再生装置１は、実質的に操作部４４の操作を無効にするように制御した。
【０３８６】
従ってヘッドホン一体型再生装置１は、右筐体２と左筐体３とが接続された状態で鞄の中や衣服のポケットの中に入れられて持ち運ばれたときに操作部４４が誤操作されても、再生等を実行してバッテリ４３の電力が無駄に消費されることを防止することができる。
【０３８７】
またヘッドホン一体型再生装置１は、右筐体２と左筐体３とが接続された状態で置き場所を変えるために手で持たれたとき等に操作部４４が誤操作されたときも、再生等を実行してバッテリ４３の電力が無駄に消費されることを防止することができる。
【０３８８】
さらにヘッドホン一体型再生装置１は、右筐体２が右手で保持され、左筐体３が左手で保持された状態で右耳介及び左耳介から外されて、右筐体２と左筐体３とが接続されるときに、ユーザの顔に向く右筐体内面２Ａに残量通知発光部２７を設けるようにした。
【０３８９】
そしてヘッドホン一体型再生装置１は、右筐体２と左筐体３との接続が検出されたとき、その時点のバッテリ４３の残量に応じて残量通知発光部２７を制御して点灯させるようにした。
【０３９０】
従ってヘッドホン一体型再生装置１は、右筐体２が右手で保持され、左筐体３が左手で保持された状態で右耳介及び左耳介から外されて当該右筐体２と左筐体３とが接続されると、その際、ユーザに残量通知発光部２７を介してバッテリ４３の残量を的確に通知することができる。
【０３９１】
＜２．他の実施の形態＞
［２−１  他の実施の形態１］
なお上述した実施の形態においては、電源オン状態で音楽データＤ１を再生しているときに右筐体２と左筐体３との接続を検出すると、ＣＰＵ４０により、その再生を停止させたうえで、電源オン状態から電源オフ状態に移行するように制御した場合について述べた。
【０３９２】
しかしながら本発明は、これに限らず、電源オン状態で音楽データＤ１を再生しているときに右筐体２と左筐体３との接続を検出すると、ＣＰＵ４０により、電源オン状態のまま音楽データＤ１を再生し続けて、ステレオ音楽の音量を上げるように制御しても良い。
【０３９３】
かかる構成によれば、ヘッドホン一体型再生装置１が右耳介及び左耳介から外されて右筐体２と左筐体３とが接続された際、右ヘッドホン４及び左ヘッドホン５をステレオスピーカのように用いてユーザにステレオ音楽を聴かせることができる。
【０３９４】
またヘッドホン一体型再生装置１では、右筐体２及び左筐体３のま少なくとも一方にディスプレイを設け、右筐体２と左筐体３との接続を検出すると、ＣＰＵ４０により、電源オン状態のままディスプレイに種々の情報を表示するように制御しても良い。
【０３９５】
すなわち、かかる構成のヘッドホン一体型再生装置１では、右耳介及び左耳介に装着されている間は、ユーザにディスプレイを直接見せることができないため、そのディスプレイを消灯しておく。
【０３９６】
そして、かかる構成のヘッドホン一体型再生装置１では、筐体２と左筐体３との接続を検出すると、ディスプレイに、その時点に再生していた音楽データＤ１に関連する音楽のタイトルやアーティスト名、ジャンル名等の種々の情報を表示するようにしても良い。
【０３９７】
また、かかる構成のヘッドホン一体型再生装置１では、例えば、外部機器と接続した状態で右筐体２と左筐体３との接続を検出したとき、ディスプレイに、外部機器の制御のもとに実行している音楽データＤ１の記憶やバッテリ４３の充電等の処理内容や処理状況を示す情報を表示するようにしても良い。
【０３９８】
かかる構成によれば、ヘッドホン一体型再生装置１は、右筐体２と左筐体３が接続された際、ユーザに操作部４４を特に操作させなくても、ディスプレイの表示内容により種々の情報を通知することができる。
【０３９９】
［２−２  他の実施の形態２］
また上述した実施の形態においては、右筐体２と左筐体３との接続を検出すると、所定制御を実行するようにした場合について述べた。
【０４００】
しかしながら本発明は、これに限らず、右筐体２と左筐体３との離隔を検出したことに応じて、ＣＰＵ４０が所定の制御を実行するようにしても良い。
【０４０１】
例えば、かかる構成のヘッドホン一体型再生装置１では、ＣＰＵ４０が音楽データＤ１の再生を、ユーザの操作に応じて停止させたときや上述のように強制的に停止させたときに、再生を停止したときの再生モードや再生順序、また再生を停止した音楽データＤ１の識別情報等を示す再生関連情報をＲＯＭ４１に記憶しておく。
【０４０２】
そして、かかる構成のヘッドホン一体型再生装置１は、右筐体２と左筐体３との離隔を検出したとき、ＣＰＵ４０により、再生関連情報に基づき、前回、再生を停止していた音楽データＤ１から自動的に再生を開始（再開）するようにしても良い。
【０４０３】
また、かかる構成のヘッドホン一体型再生装置１は、再生関連情報は利用せずに、再生順序規定リストの先頭の音楽データＤ１から、又は新たにシャッフル再生順序を決定して、その先頭の音楽データＤ１から自動的に再生を開始するようにしても良い。
【０４０４】
ところで、かかる構成のヘッドホン一体型再生装置１は、右筐体２と左筐体３との離隔が検出されると、音楽データＤ１の再生を直ちに開始することもできる。
【０４０５】
かかる構成のヘッドホン一体型再生装置１は、右筐体２と左筐体３とを離隔させた時点から右耳介及び左耳介に装着されるまでの時間を考慮して、右筐体２と左筐体３との離隔の検出時点から所定時間に達すると、音楽データＤ１の再生を開始することもできる。
【０４０６】
［２−３  他の実施の形態３］
さらに上述した実施の形態においては、右筐体２と左筐体３との接続を検出すると、操作部４４に対する音楽データＤ１の再生に関する操作を全て無効にするようにした場合について述べた。
【０４０７】
しかしながら本発明は、これに限らず、右筐体２と左筐体３との接続を検出すると、操作部４４に対する電源オン命令の入力用の操作も含む全ての操作を無効にする（すなわち、操作部４４への全ての操作入力を無効にする）ようにしても良い。
【０４０８】
かかる構成のヘッドホン一体型再生装置１では、右筐体２と左筐体３とが接続されている間は、操作部４４（すなわち、ジョグダイヤル２５）が電源オン命令の入力用に操作（すなわち、短押操作）されても、電源オン状態に移行しない。
【０４０９】
このため、かかる構成のヘッドホン一体型再生装置１では、右筐体２と左筐体３とが接続されている間、操作部４４が電源オン命令の入力用に操作されても、バッテリ４３の電力が消費されることを回避することができる。
【０４１０】
［２−４  他の実施の形態４］
さらに上述した実施の形態においては、本発明のヘッドホン装置及び再生装置を、図１乃至図３１について上述したヘッドホン一体型再生装置１に適用するようにした場合について述べた。
【０４１１】
しかしながら本発明は、これに限らず、音声データのみならずに映像音声データや写真画像データ、テレビジョン放送の番組データ等の種々のコンテンツデータを再生可能な２つの筐体を有する再生装置に適用することができる。
【０４１２】
また本発明は、２つの筐体を有するヘッドホン装置を、種々のコンテンツデータを再生可能な再生装置と一体化して形成されたヘッドホン一体型再生装置等のように、この他種々の構成のヘッドホン一体型再生装置にも適用することができる。
【０４１３】
さらに本発明は、コンピュータや携帯電話機、ＰＤＡ（Personal  Digital  Assistance）、ゲーム機器等の情報処理装置、ハードディスクレコーダのような記録再生装置、テレビジョン受像機、デジタルビデオカメラ等のように、この他種々の構成の外部の再生装置と有線接続又は無線接続されるヘッドホン装置にも適用することができる。
【０４１４】
［２−５  他の実施の形態５］
さらに上述した実施の形態においては、本発明による動作制御プログラムを、図１乃至図３１について上述したヘッドホン一体型再生装置１のＲＯＭ４１に予め記憶された動作制御プログラムに適用し、ヘッドホン一体型再生装置１のＣＰＵ４０が、その動作制御プログラムに従って図３１について上述した動作制御処理手順ＲＴ１を実行するようにした場合について述べた。
【０４１５】
しかしながら本発明は、これに限らず、ヘッドホン一体型再生装置１が動作制御プログラムの記録されたコンピュータ読取可能な記録媒体によって動作制御プログラムをインストールして、ＣＰＵ４０が、そのインストールした動作制御プログラムに従って図３１について上述した動作制御処理手順ＲＴ１を実行するようにしても良い。
【０４１６】
またヘッドホン一体型再生装置１は、ローカルエリアネットワークやインターネット、デジタル衛星放送等の有線及び無線通信媒体を利用して外部から動作制御プログラムをインストールするようにしても良い。
【０４１７】
そして動作制御プログラムをヘッドホン一体型再生装置１にインストールして実行可能な状態にするためのコンピュータ読取可能な記録媒体としては、例えばフレキシブルディスクのようなパッケージメディアで実現しても良い。
【０４１８】
また動作制御プログラムをヘッドホン一体型再生装置１にインストールして実行可能な状態にするためのコンピュータ読取可能な記録媒体としては、ＣＤ−ＲＯＭ（Compact  Disc-Read  Only  Memory）のようなパッケージメディアで実現しても良い。
【０４１９】
さらに動作制御プログラムをヘッドホン一体型再生装置１にインストールして実行可能な状態にするためのコンピュータ読取可能な記録媒体としては、ＤＶＤ（Digital  Versatile  Disc）等のパッケージメディアで実現しても良い。
【０４２０】
さらに、かかるコンピュータ読取可能な記録媒体としては、パッケージメディアのみならず、各種プログラムが一時的もしくは永続的に記録される半導体メモリや磁気ディスク等で実現しても良い。
【０４２１】
また、これらコンピュータ読取可能な記録媒体に動作制御プログラムを記録する手段としては、ローカルエリアネットワークやインターネット、デジタル衛星放送等の有線及び無線通信媒体を利用しても良い。
【０４２２】
さらにコンピュータ読取可能な記録媒体に動作制御プログラムを記録する手段としては、ルータやモデム等の各種通信インタフェースを介して記録するようにしても良い。
【０４２３】
［２−６  他の実施の形態６］
さらに上述した実施の形態においては、２つの筐体として、図１乃至図３１について上述したカナル型の右ヘッドホン４及び左ヘッドホン５が設けられた略弓形状の長箱でなる右筐体２及び左筐体３を適用するようにした場合について述べた。
【０４２４】
しかしながら本発明は、これに限らず、インナーイヤ型や耳掛け型の右ヘッドホン及び左ヘッドホンが設けられた円筒状や円盤状の２つの筐体、耳掛け型ヘッドホンの本体でなる２つの筐体等のように、この他種々の構成の２つの筐体を広く適用することができる。
【０４２５】
［２−７  他の実施の形態７］
さらに上述した実施の形態においては、２つの筐体を接続する接続部として、図１乃至図３１について上述した吸着板２０及び磁石３０を適用するようにした場合について述べた。
【０４２６】
しかしながら本発明は、これに限らず、右筐体２と左筐体３との種々の位置に設けられた嵌め合わせ構造の接続部等のように、この他種々の構成の接続部を広く適用することができる。
【０４２７】
［２−８  他の実施の形態８］
さらに上述した実施の形態においては、接続部を介して２つの筐体が接続されたことを検出する検出部として、図１乃至図３１について上述した磁気センサ６０を有する検出部３３を適用するようにした場合について述べた。
【０４２８】
しかしながら本発明は、これに限らず、押しボタンスイッチや光電スイッチ等のように、この他種々の構成の検出部を広く適用することができる。
【０４２９】
［２−９  他の実施の形態９］
さらに上述した実施の形態においては、検出部が２つの筐体の接続を検出したとき、所定の制御を実行する制御部として、図１乃至図３１について上述したＣＰＵ４０を適用するようにした場合について述べた。
【０４３０】
しかしながら本発明は、これに限らず、マイクロプロセッサ等のように、この他種々の構成の制御部を広く適用することができる。
【０４３１】
［２−１０  他の実施の形態１０］
さらに上述した実施の形態においては、操作部として、図１乃至図３１について上述した右筐体２に設けられた音量調整キー２４やジョグダイヤル２５、再生順序切換スイッチ２６を有する操作部４４を適用するようにした場合について述べた。
【０４３２】
しかしながら本発明は、これに限らず、音量調整キー２４やジョグダイヤル２５、再生順序切換スイッチ２６に加えて、又は別にジョイスティックや再生モード切換スイッチ等を有し、右筐体２又は左筐体３に設けられる操作部や、右筐体２及び左筐体３とは別に当該右筐体２及び又は左筐体３と有線接続又は無線接続される操作部等のように、この他種々の構成の操作部を広く適用することができる。
【０４３３】
［２−１１  他の実施の形態１１］
さらに上述した実施の形態においては、バッテリとして、図１乃至図３１について上述した左筐体３内に設けられたバッテリ４３を適用するようにした場合について述べた。
【０４３４】
しかしながら本発明は、これに限らず、右筐体２内やヘッドバンド６に設けられるバッテリ等のように、この他種々の位置に設けられるバッテリを広く適用することができる。
【０４３５】
［２−１２  他の実施の形態１２］
さらに上述した実施の形態においては、２つの筐体の少なくとも一方に設けられ、バッテリの残量を通知するための通知部として、図１乃至図３１について上述した右筐体２に設けられた残量通知発光部２７を適用するようにした場合について述べた。
【０４３６】
しかしながら本発明は、これに限らず、左筐体に設けられる残量通知発光部や、右筐体２及び又は左筐体３に設けられるディスプレイ等のように、この他種々の通知部を広く適用することができる。
【０４３７】
［２−１３  他の実施の形態１３］
さらに上述した実施の形態においては、操作部への操作入力に基づいて、記憶媒体に記憶された音声データを再生する再生部として、図１乃至図３１について上述したＣＰＵ４０を適用するようにした場合について述べた。
【０４３８】
しかしながら本発明は、これに限らず、デジタルシグナルプロセッサ等のように、この他種々の構成の再生部を広く適用することができる。
【０４３９】
［２−１４  他の実施の形態１４］
さらに上述した実施の形態においては、音声データの記憶された記憶媒体として、図１乃至図３１について上述したＲＯＭ４１を適用するようにした場合について述べた。
【０４４０】
しかしながら本発明は、これに限らず、再生装置に着脱可能に設けられる半導体メモリや、再生装置に外付けされるハードディスクドライブ内のハードディスク等のように、この他種々の記憶媒体を広く適用することができる。
【産業上の利用可能性】
【０４４１】
本発明は、再生装置と有線接続又は無線接続されるヘッドホン装置や、ヘッドホン一体型再生装置に利用することができる。
【図面の簡単な説明】
【０４４２】
【図１】本発明によるヘッドホン一体型再生装置の外観構成の一実施の形態を示す略線的斜視図である。
【図２】右ヘッドホンの構成を示す略線図である。
【図３】左ヘッドホンの構成を示す略線図である。
【図４】ヘッドバンドと右筐体及び左筐体の一端面との構成を示す略線図である。
【図５】右筐体及び左筐体の接続の説明に供する略線的斜視図である。
【図６】右筐体及び左筐体の接続時のヘッドバンドの構成を示す略線図である。
【図７】右筐体及び左筐体の離隔時のヘッドバンドの構成を示す略線図である。
【図８】ヘッドホン一体型再生装置の装着（１）の説明に供する略線図である。
【図９】ヘッドホン一体型再生装置の装着（２）の説明に供する略線図である。
【図１０】ヘッドホン一体型再生装置の装着（３）の説明に供する略線図である。
【図１１】右筐体の右筐体下面の構成を示す略線図である。
【図１２】ジョグダイヤルの操作の説明に供する略線図である。
【図１３】右筐体の右筐体内面の構成を示す略線図である。
【図１４】ヘッドバンド一体型再生装置が右耳介及び左耳介から外されるときの説明に供する略線図である。
【図１５】右筐体及び左筐体の接続時の残量通知発光部によるバッテリの残量の通知の説明に供する略線図である。
【図１６】右筐体の右筐体外面の構成を示す略線図である。
【図１７】ヘッドホン一体型再生装置の内部構成を示す略線図である。
【図１８】吸着板と磁石との距離に応じた検出部に対する印加磁界の強さの変化（１）の説明に供する略線図である。
【図１９】吸着板と磁石との距離に応じた検出部に対する印加磁界の強さの変化（２）の説明に供する略線図である。
【図２０】吸着板と磁石との距離に応じた検出部に対する印加磁界の強さの変化（３）の説明に供する略線図である。
【図２１】吸着板と磁石との距離に応じた検出部に対する印加磁界の強さの変化（４）の説明に供する略線図である。
【図２２】ヘッドホン一体型再生装置の回路構成を示すブロック図である。
【図２３】ヘッドホン一体型再生装置の操作と再生制御の説明に供する略線図である。
【図２４】検出部の回路構成を示すブロック図である。
【図２５】検出部の磁気センサによる右筐体と左筐体との接続の有無の検出の説明に供する略線図である。
【図２６】右筐体と左筐体とが離隔された状態でのＣＰＵの制御の説明に供するタイミングチャートである。
【図２７】音楽データの再生中に右筐体と左筐体とが接続されたときのＣＰＵの制御の説明に供するタイミングチャートである。
【図２８】音楽データを再生してはいない状態で右筐体と左筐体とが接続されたときのＣＰＵの制御の説明に供するタイミングチャートである。
【図２９】右筐体と左筐体との接続の確認の説明に供する略線図である。
【図３０】右筐体と左筐体とが接続されていたときのＣＰＵの制御の説明に供するタイミングチャートである。
【図３１】動作制御処理手順を示すフローチャートである。
【符号の説明】
【０４４３】
１……ヘッドホン一体型再生装置、２……右筐体、３……左筐体、４……右ヘッドホン、５……左ヘッドホン、６……ヘッドバンド、２０……吸着板、２４……音量調整キー、２５……ジョグダイヤル、２６……再生順序切換スイッチ、２７……残量通知発光部、３０……磁石、３３……検出部、４０……ＣＰＵ、４３……バッテリ、４４……操作部、６０……磁気センサ、Ｓ２……接続有無検出信号、Ｓ２Ａ……接続検出信号、Ｓ２Ｂ……離隔検出信号、ＲＴ１……動作制御処理手順。
【図１】
2010157897.tif 000003
【図２】
2010157897.tif 000004
【図３】
2010157897.tif 000005
【図４】
2010157897.tif 000006
【図５】
2010157897.tif 000007
【図６】
2010157897.tif 000008
【図７】
2010157897.tif 000009
【図８】
2010157897.tif 000010
【図９】
2010157897.tif 000011
【図１０】
2010157897.tif 000012
【図１１】
2010157897.tif 000013
【図１２】
2010157897.tif 000014
【図１３】
2010157897.tif 000015
【図１４】
2010157897.tif 000016
【図１５】
2010157897.tif 000017
【図１６】
2010157897.tif 000018
【図１７】
2010157897.tif 000019
【図１８】
2010157897.tif 000020
【図１９】
2010157897.tif 000021
【図２０】
2010157897.tif 000022
【図２１】
2010157897.tif 000023
【図２２】
2010157897.tif 000024
【図２３】
2010157897.tif 000025
【図２４】
2010157897.tif 000026
【図２５】
2010157897.tif 000027
【図２６】
2010157897.tif 000028
【図２７】
2010157897.tif 000029
【図２８】
2010157897.tif 000030
【図２９】
2010157897.tif 000031
【図３０】
2010157897.tif 000032
【図３１】
2010157897.tif 000033